(57)【特許請求の範囲】
【請求項１】
制御部と記憶部と表示部とを少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、入力される作成条件に対応する前記ＢＩＭパーツを、前記パーツ情報記憶手段に記憶された前記パーツ情報を用いて作成する昇降機モデリング手段と、入力される前記昇降機に関するシミュレーション条件と、前記ＢＩＭモデル記憶手段に記憶された前記ＢＩＭモデルに含まれる前記建築物に関する建物情報と、前記昇降機モデリング手段が作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析手段と、前記昇降機モデリング手段により作成された前記ＢＩＭパーツが表す昇降機を前記ＢＩＭモデルが表す建築物に組み込んだ状態で、前記解析手段により実行された前記風圧変化に関するシミュレーションの結果を前記表示部に表示させる画面表示手段と、を備え、前記画面表示手段は、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする、ＢＩＭシステム。
【請求項２】
前記画面表示手段は、前記解析手段により実行された前記風圧変化に関するシミュレーションの結果に基づいて、前記昇降機モデリング手段により作成された前記ＢＩＭパーツが表す昇降機を前記ＢＩＭモデルが表す建築物に組み込んだ状態で、前記ＢＩＭパーツが表す昇降機の走行パターンに連動させて、予め設定された風圧許容値を基準に風圧レベルを色分けした昇降路壁の風圧分布、及び、昇降路内の風圧方向を前記表示部に表示させることを特徴とする、請求項１に記載のＢＩＭシステム。
【請求項３】
前記制御部は、前記解析手段により実行された前記風圧変化に関するシミュレーションの結果に基づいて、前記ＢＩＭパーツが表す昇降機の走行時に発生する昇降路内の風圧が予め設定された風圧許容値を超えた場合、当該昇降路内の風圧が当該風圧許容値以下となる前記ＢＩＭパーツを、前記パーツ情報記憶手段に記憶された前記パーツ情報を用いて作成する自動作成手段、を備えることを特徴とする請求項１又は請求項２に記載のＢＩＭシステム。
【請求項４】
前記解析手段は、前記シミュレーション条件と、前記建物情報と、前記昇降機モデリング手段が作成した前記ＢＩＭパーツとに基づいて、前記ＢＩＭモデルが表す建築物内で前記ＢＩＭパーツが表す昇降機が走行する際に発生する騒音に関するシミュレーションを実行し、前記画面表示手段は、前記解析手段により実行された前記騒音に関するシミュレーションの結果に基づいて、前記昇降機モデリング手段により作成された前記ＢＩＭパーツが表す昇降機を前記ＢＩＭモデルが表す建築物に組み込んだ状態で、前記ＢＩＭパーツが表す昇降機の走行パターンに連動させて、予め設定された騒音許容値を基準に騒音レベルを色分けした騒音分布を前記表示部に表示させる、ことを特徴とする請求項１乃至請求項３のいずれか１項に記載のＢＩＭシステム。
【請求項５】
前記解析手段は、前記シミュレーション条件と、前記建物情報と、前記昇降機モデリング手段が作成した前記ＢＩＭパーツとに基づいて、前記ＢＩＭモデルが表す建築物内で前記ＢＩＭパーツが表す昇降機が走行する際に発生する振動に関するシミュレーションを実行し、前記画面表示手段は、前記解析手段により実行された前記振動に関するシミュレーションの結果に基づいて、前記昇降機モデリング手段により作成された前記ＢＩＭパーツが表す昇降機を前記ＢＩＭモデルが表す建築物に組み込んだ状態で、前記ＢＩＭパーツが表す昇降機の走行パターンに連動させて、予め設定された振動許容値を基準に振動レベルを色分けした振動分布を前記表示部に表示させる、ことを特徴とする請求項１乃至請求項４のいずれか１項に記載のＢＩＭシステム。
【請求項６】
制御部と記憶部とを少なくとも備えたサーバ装置、及び、制御部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記端末装置から送信される前記昇降機に関するシミュレーション条件と、前記ＢＩＭモデルに含まれる前記建築物に関する建物情報と、前記昇降機モデリング手段が作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析手段と、前記昇降機モデリング手段により作成された前記ＢＩＭパーツと、前記解析手段により実行された前記風圧変化に関するシミュレーションの結果とを前記端末装置へ送信する情報提供手段と、を備え、前記端末装置の前記制御部は、前記情報提供手段により前記サーバ装置から送信された前記ＢＩＭパーツが表す昇降機を前記ＢＩＭモデルが表す建築物に組み込んだ状態で、前記情報提供手段により前記サーバ装置から送信された前記風圧変化に関するシミュレーションの結果を前記表示部に表示させる画面表示手段、を備え、前記画面表示手段は、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするＢＩＭシステム。
【請求項７】
表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記端末装置から送信される前記昇降機に関するシミュレーション条件と、前記ＢＩＭモデルに含まれる前記建築物に関する建物情報と、前記昇降機モデリング手段が作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析手段と、前記昇降機モデリング手段により作成された前記ＢＩＭパーツと、前記解析手段により実行された前記風圧変化に関するシミュレーションの結果とを前記端末装置へ送信する情報提供手段と、を備え、前記端末装置において、前記サーバ装置から送信された前記ＢＩＭパーツが表す昇降機を前記ＢＩＭモデルが表す建築物に組み込んだ状態で、前記サーバ装置から送信された前記風圧変化に関するシミュレーションの結果を前記表示部に表示させ、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするサーバ装置。
【請求項８】
制御部と記憶部とを少なくとも備えたサーバ装置、及び、制御部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記制御部は、入力される前記昇降機に関するシミュレーション条件と、前記ＢＩＭモデルに含まれる前記建築物に関する建物情報と、前記情報提供手段により前記サーバ装置から送信された前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析手段と、前記情報提供手段により前記サーバ装置から送信された前記ＢＩＭパーツが表す昇降機を前記ＢＩＭモデルが表す建築物に組み込んだ状態で、前記解析手段により実行された前記風圧変化に関するシミュレーションの結果を前記表示部に表示させる画面表示手段と、を備え、前記画面表示手段は、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするＢＩＭシステム。
【請求項９】
サーバ装置に通信可能に接続された、制御部と表示部とを少なくとも備えた端末装置であって、前記制御部は、作成条件に対応して前記サーバ装置で作成され当該サーバ装置から送信された、建築物のＢＩＭモデルに組込可能な昇降機のＢＩＭパーツと、入力される前記昇降機に関するシミュレーション条件と、前記ＢＩＭモデルに含まれる前記建築物に関する建物情報とに基づいて、前記ＢＩＭモデルが表す建築物内で前記サーバ装置から送信された前記ＢＩＭパーツが表す昇降機が走行する際に発生する昇降路内の風圧変化に関するシミュレーションを実行する解析手段と、前記サーバ装置から送信された前記ＢＩＭパーツが表す昇降機を、前記ＢＩＭモデルが表す建築物に組み込んだ状態で、前記解析手段により実行された前記風圧変化に関するシミュレーションの結果を前記表示部に表示させる画面表示手段と、を備え、前記画面表示手段は、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする端末装置。
【請求項１０】
制御部と記憶部と表示部とを少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、入力される作成条件に対応する前記ＢＩＭパーツを、前記パーツ情報記憶手段に記憶された前記パーツ情報を用いて作成する昇降機モデリングステップと、入力される前記昇降機に関するシミュレーション条件と、前記ＢＩＭモデル記憶手段に記憶された前記ＢＩＭモデルに含まれる前記建築物に関する建物情報と、前記昇降機モデリングステップにて作成された前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記昇降機モデリングステップにて作成された前記ＢＩＭパーツが表す昇降機を前記ＢＩＭモデルが表す建築物に組み込んだ状態で、前記解析ステップにて実行された前記風圧変化に関するシミュレーションの結果を前記表示部に表示させる画面表示ステップと、を含み、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする方法。
【請求項１１】
制御部と記憶部とを少なくとも備えたサーバ装置、及び、制御部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記端末装置から送信される前記昇降機に関するシミュレーション条件と、前記ＢＩＭモデルに含まれる前記建築物に関する建物情報と、前記昇降機モデリングステップにて作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記サーバ装置の前記制御部において実行される、前記昇降機モデリングステップにて作成された前記ＢＩＭパーツと、前記解析ステップにて実行された前記風圧変化に関するシミュレーションの結果とを前記端末装置へ送信する情報提供ステップと、前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記情報提供ステップにて前記サーバ装置から送信された前記風圧変化に関するシミュレーションの結果を前記表示部に表示させる画面表示ステップと、
を含み、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする方法。
【請求項１２】
表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記端末装置から送信される前記昇降機に関するシミュレーション条件と、前記ＢＩＭモデルに含まれる前記建築物に関する建物情報と、前記昇降機モデリングステップにて作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記昇降機モデリングステップにて作成された前記ＢＩＭパーツと、前記解析ステップにて実行された前記風圧変化に関するシミュレーションの結果とを前記端末装置へ送信する情報提供ステップと、を含み、前記端末装置において、前記サーバ装置から送信された前記ＢＩＭパーツが表す昇降機を前記ＢＩＭモデルが表す建築物に組み込んだ状態で、前記サーバ装置から送信された前記風圧変化に関するシミュレーションの結果を前記表示部に表示させ、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする方法。
【請求項１３】
制御部と記憶部とを少なくとも備えたサーバ装置、及び、制御部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、入力される前記昇降機に関するシミュレーション条件と、前記ＢＩＭモデルに含まれる前記建築物に関する建物情報と、前記情報提供ステップにて前記サーバ装置から送信された前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記解析ステップにて実行された前記風圧変化に関するシミュレーションの結果を前記表示部に表示させる画面表示ステップと、を含み、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする方法。
【請求項１４】
サーバ装置に通信可能に接続された、制御部と表示部とを少なくとも備えた端末装置において実行される方法であって、前記制御部において実行される、作成条件に対応して前記サーバ装置で作成され当該サーバ装置から送信された、建築物のＢＩＭモデルに組込可能な昇降機のＢＩＭパーツと、入力される前記昇降機に関するシミュレーション条件と、前記ＢＩＭモデルに含まれる前記建築物に関する建物情報とに基づいて、前記ＢＩＭモデルが表す建築物内で前記サーバ装置から送信された前記ＢＩＭパーツが表す昇降機が走行する際に発生する昇降路内の風圧変化に関するシミュレーションを実行する解析ステップと、前記サーバ装置から送信された前記ＢＩＭパーツが表す昇降機を前記ＢＩＭモデルが表す建築物に組み込んだ状態で、前記解析ステップにて実行された前記風圧変化に関するシミュレーションの結果を前記表示部に表示させる画面表示ステップと、を含み、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とする方法。
【請求項１５】
制御部と記憶部と表示部とを少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において、入力される作成条件に対応する前記ＢＩＭパーツを、前記パーツ情報記憶手段に記憶された前記パーツ情報を用いて作成する昇降機モデリングステップと、入力される前記昇降機に関するシミュレーション条件と、前記ＢＩＭモデル記憶手段に記憶された前記ＢＩＭモデルに含まれる前記建築物に関する建物情報と、前記昇降機モデリングステップにて作成された前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記昇降機モデリングステップにて作成された前記ＢＩＭパーツが表す昇降機を前記ＢＩＭモデルが表す建築物に組み込んだ状態で、前記解析ステップにて実行された前記風圧変化に関するシミュレーションの結果を前記表示部に表示させる画面表示ステップと、を実行させ、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするプログラム。
【請求項１６】
表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記端末装置から送信される前記昇降機に関するシミュレーション条件と、前記ＢＩＭモデルに含まれる前記建築物に関する建物情報と、前記昇降機モデリングステップにて作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する解析ステップと、前記昇降機モデリングステップにて作成された前記ＢＩＭパーツと、前記解析ステップにて実行された前記風圧変化に関するシミュレーションの結果とを前記端末装置へ送信する情報提供ステップと、を実行させ、前記端末装置において、前記サーバ装置から送信された前記ＢＩＭパーツが表す昇降機を前記ＢＩＭモデルが表す建築物に組み込んだ状態で、前記サーバ装置から送信された前記風圧変化に関するシミュレーションの結果を前記表示部に表示させ、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするプログラム。
【請求項１７】
サーバ装置に通信可能に接続された、制御部と表示部とを少なくとも備えた端末装置に実行させるためのプログラムであって、前記制御部において、作成条件に対応して前記サーバ装置で作成され当該サーバ装置から送信された、建築物のＢＩＭモデルに組込可能な昇降機のＢＩＭパーツと、入力される前記昇降機に関するシミュレーション条件と、前記ＢＩＭモデルに含まれる前記建築物に関する建物情報とに基づいて、前記ＢＩＭモデルが表す建築物内で前記ＢＩＭパーツが表す昇降機が走行する際に発生する昇降路内の風圧変化に関するシミュレーションを実行する解析ステップと、前記サーバ装置から送信された前記ＢＩＭパーツが表す昇降機を前記ＢＩＭモデルが表す建築物に組み込んだ状態で、前記解析ステップにて実行された前記風圧変化に関するシミュレーションの結果を前記表示部に表示させる画面表示ステップと、を実行させ、前記画面表示ステップでは、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化することを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、提案する昇降機を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部と表示部とを少なくとも備えたＢＩＭシステムである。前記記憶部は、ＢＩＭモデル記憶手段と、パーツ情報記憶手段と、を備える。ＢＩＭモデル記憶手段は、建築物のＢＩＭモデルを記憶する。パーツ情報記憶手段は、前記ＢＩＭモデルに組込可能な昇降機のＢＩＭパーツを作成するためのパーツ情報を記憶する。前記制御部は、昇降機モデリング手段と、解析手段と、画面表示手段と、を備える。昇降機モデリング手段は、入力される作成条件に対応する前記ＢＩＭパーツを、前記パーツ情報記憶手段に記憶された前記パーツ情報を用いて作成する。解析手段は、入力される前記昇降機に関するシミュレーション条件と、前記ＢＩＭモデル記憶手段に記憶された前記ＢＩＭモデルに含まれる前記建築物に関する建物情報と、前記昇降機モデリング手段が作成した前記ＢＩＭパーツとに基づいて、前記ＢＩＭモデルが表す建築物内で前記ＢＩＭパーツが表す昇降機が走行する際に発生する昇降路内の風圧変化に関するシミュレーションを実行する。画面表示手段は、前記昇降機モデリング手段により作成された前記ＢＩＭパーツが表す昇降機を前記ＢＩＭモデルが表す建築物に組み込んだ状態で、前記解析手段により実行された前記風圧変化に関するシミュレーションの結果を前記表示部に表示させる。画面表示手段は、前記風圧変化に関するシミュレーションの結果として、前記ＢＩＭパーツが表す昇降機の乗りかごと昇降路壁との隙間における風圧方向、昇降路と連通するダクトにおける風圧方向、及び、前記ＢＩＭパーツが表す昇降機の巻上機が配置される機械室のロープ孔における風圧方向を前記表示部に表示させることで、前記ＢＩＭパーツが表す昇降機の走行時に発生する昇降路内の風圧方向を３次元で可視化する。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、シミュレーションの結果を含むレイアウト画面の一例を示す図である。
【図６】図６は、第１の実施形態における基本処理の一例を示すフローチャートである。
【図７】図７は、第１の実施形態における風圧シミュレーション実行処理の一例を示すフローチャートである。
【図８】図８は、第１の実施形態における騒音・振動シミュレーション実行処理の一例を示すフローチャートである。
【図９】図９は、第２の実施形態におけるＢＩＭシステムの構成の一例を示すブロック図である。
【図１０】図１０は、第２の実施形態における基本処理の一例を示すフローチャートである。
【図１１】図１１は、第３の実施形態におけるＢＩＭ装置の構成の一例を示すブロック図である。
【図１２】図１２は、第３の実施形態における基本処理の一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態、第２の実施形態、第３の実施形態の順にて詳細に説明する。
【００１０】
［第１の実施形態］
最初に、第１の実施形態について、図２乃至図８を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステム１０の構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステム１０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステム１０の各部は任意の通信路を介して通信可能に接続されている。
【００１３】
図２に示すように、第１の実施形態のＢＩＭシステム１０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、シミュレーション条件と、ＢＩＭモデルに含まれる建築物に関する建物情報と、作成したＢＩＭパーツとに基づいて、ＢＩＭモデルが表す建築物内でＢＩＭパーツが表す昇降機が走行する際に発生する昇降路内の風圧変化に関するシミュレーションを実行する機能を有する。そして、サーバ装置２００は、作成されたＢＩＭパーツと、実行された風圧変化に関するシミュレーションの結果とを端末装置１００へ送信する機能を有する。これにより、サーバ装置２００は、端末装置１００において、ＢＩＭパーツをＢＩＭモデルに組み込んだ状態で風圧変化に関するシミュレーション等の結果を表示部１１４に表示させる機能を有する。
【００１５】
サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ、計算式ファイル２０６ｂ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータ及び乗客コンベアを含む概念であり、乗客コンベアは、エスカレータ及び動く歩道を含む。このパーツ情報データベース２０６ａは、随時、パーツ情報が最新データに更新される。
【００１７】
ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含んでもよい。なお、パーツ情報は、上記に限定されない。
【００１８】
より具体的には、本実施形態において、パーツ情報は、例えば、昇降機のＢＩＭパーツを建築物のＢＩＭモデルに組み込む際等に用いられるＢＩＭパーツのサイズ情報等を含んでもよい。また、パーツ情報は、例えば、ＢＩＭパーツをＢＩＭモデルに組み込んだ統合ＢＩＭモデルの動作を解析する際に用いられるＢＩＭパーツの動作パラメータ、ＢＩＭパーツを変更する際に用いられる設定パラメータ等を含んでもよい。ＢＩＭパーツのサイズ情報は、ＢＩＭパーツを構成する各ユニット（ファミリ）、構成部品のサイズ情報等を含んでもよい。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。動作パラメータは、昇降機の動作速度、動作パターン等を規定するパラメータ等を含んでもよい。設定パラメータは、ＢＩＭパーツを構成する各ユニットのサイズ、色、材質、上記配線配管情報等を規定するパラメータ等を含んでもよい。
【００１９】
さらに、パーツ情報は、例えば、風圧、騒音、振動等の各種シミュレーションに用いられるパーツシミュレーション情報を含む。パーツシミュレーション情報は、例えば、昇降機の定格速度情報、音源機器データ情報、昇降路平面有効寸法情報、カゴ平面外法寸法情報、戸開方式情報、敷居の持ち出し寸法情報、同一シャフト内台数情報、中間ビームの有無情報、昇降路内梁有無情報、最下階段違い有無情報、Ｃ／Ｗ寸法情報、風音対策有無情報、機械室床面積情報、機械室孔面積情報、各種壁面の透過損失情報、ダクト寸法情報、各種対策有無情報、等に関する情報の少なくとも１つを含んでもよい。ここで、昇降機の定格速度情報は、乗りかごの定格の昇降速度に関する情報である。音源機器データ情報は、例えば、巻上機等、音源／震源となる機器に関するデータに関する情報である。昇降路平面有効寸法情報は、昇降路の空間部分の水平方向内法寸法に関する情報である。カゴ平面外法寸法情報は、乗りかごの水平方向外法寸法に関する情報である。戸開方式情報は、乗りかごの戸の開閉方式（両開き、片開き等）に関する情報である。敷居の持ち出し寸法情報は、乗り場の敷居（シル）の昇降路側への突出寸法に関する情報である。同一シャフト内台数情報は、昇降路内の乗りかごの台数に関する情報である。中間ビームの有無情報は、昇降路壁の中間ビーム（中間梁）の有無に関する情報である。昇降路内梁有無情報は、昇降路内に位置する梁の有無に関する情報である。最下階段違い有無情報は、昇降路内に複数台の乗りかごが設けられる場合に最下階のピット底面位置に段違いがあるか否かに関する情報である。Ｃ／Ｗ寸法情報は、乗りかごのカウンタウエイト（つりあいおもり）の寸法に関する情報である。風音対策有無情報は、乗りかご上部に設けられる傾斜板等の風音対策の有無に関する情報である。機械室床面積は、機械室の床面積に関する情報である。機械室孔面積情報は、機械室におけるロープ孔等の面積に関する情報である。各種壁面の透過損失情報は、昇降路壁、機械室壁、床等の振動の透過損失に関する情報である。ダクト寸法情報は、昇降路と連通するダクトの寸法に関する情報である。各種対策有無情報は、風圧、騒音、振動に対する各種対策の有無に関する情報である。
【００２０】
計算式ファイル２０６ｂは、昇降機に関するシミュレーションを実行する際に使用する各種所定の計算式を記憶する計算式記憶手段である。本実施形態において、計算式ファイル２０６ｂは、昇降機の走行時に発生する昇降路内の風圧変化に関する計算、昇降機の走行時に発生する騒音に関する計算、及び、昇降機の走行時に発生する振動に関する計算に必要な計算式を記憶する。この他、計算式ファイル２０６ｂは、シミュレーション計算に必要な各種判定値、パラメータ、及び、サンプルデータ等を記憶してもよい。また、計算式ファイル２０６ｂは、随時、各種計算式が最新データに更新される。
【００２１】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、解析部２０２ｃ、自動作成部２０２ｄ、及び、情報提供部２０２ｅを備える。
【００２２】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。
【００２３】
ここで、端末装置１００から送信される作成条件は、例えば、利用者が所望する昇降機の基本情報、昇降機の仕様に関する昇降機仕様情報、昇降機を設置する建築物に関する建物情報等を含んでもよい。基本情報は、例えば、機種、色、素材、各種寸法、定員、希望の価格、納期、利用者の嗜好性等のうちの少なくとも１つを含んでもよい。昇降機仕様情報は、例えば、昇降機がエレベータの場合、かご内仕様情報及び乗場仕様情報を含んでもよい。かご内仕様情報は、側面、天井、かご操作盤、副操作盤、副操作盤（横）、手すり、鏡、及び、おすすめ仕様等の情報を含んでもよい。乗場仕様情報は、フェースプレート、操作ボタン、インジケーター、ランタン、警報盤、及び、おすすめ仕様等の情報を含んでもよい。建物情報は、対象の建築物の概要、建物用途、階床数、階床名、階高、フロア人員、居室の配置、昇降機設置位置、各部の寸法、建物形状、空間関係、地理情報、建物部材の数量や特性、部材強度、固有振動数、耐用年数、各種付属設備、各種配線配管、各種壁面の透過損失等の情報を含んでもよい。上記各種壁面の透過損失は、建築物居室壁面等の振動の透過損失である。建物情報は、さらに、昇降機を建築物に設置するのに必要な昇降路スペースを規定した昇降路スペース情報を含んでいてもよい。昇降路スペース情報は、例えば昇降機がエレベータの場合、昇降路スペースを規定する間口、奥行、及び、昇降行程等の情報、あるいは、これらの寸法をモデルに反映させた昇降路スペースモデルに関する情報を含んでもよい。また、作成条件は、建物情報等を含め、昇降機が設置される建築物のＢＩＭモデルそのものに関する情報を含んでいてもよい。
【００２４】
さらに、作成条件は、例えば、風圧、騒音、振動等の各種シミュレーションで用いられるシミュレーション条件を含んでもよい。シミュレーション条件は、風圧、騒音、振動等の各種シミュレーションで必要な各種情報、設定可能な各種指定条件情報を含んでもよい。シミュレーション条件は、例えば、風圧許容値の指定値、騒音許容値の指定値、振動許容値の指定値等に関する情報の少なくとも１つを含んでもよい。ここで、風圧を表す指標としては、例えば、風圧（Ｐａ）等を用いることができる。風圧許容値の指定値とは、例えば、昇降路壁の強度等から逆算して昇降路内で許容可能な風圧の大きさとして予め設定される値であり、利用者により指定される値である。騒音を表す指標としては、例えば、音圧（μｐａ）  、音圧レベル（ｄＢ）  等を用いることができる。騒音許容値の指定値とは、例えば、対象の建築物の概要、建物用途、居室の配置、昇降機設置位置等に応じて許容可能な騒音の大きさとして予め設定される値であり、利用者により指定される値である。騒音許容値の指定値は、乗りかご内騒音、昇降路内騒音、機械室内騒音、隣接居室内騒音、ダクト内騒音等、それぞれに対して個々の指定値を含んでいてもよい。振動を表す指標としては、例えば、振動レベル（ｄＢ）  等を用いることができる。振動許容値の指定値とは、例えば、対象の建築物の概要、建物用途、居室の配置、昇降機設置位置等に応じて許容可能な振動の大きさとして予め設定される値であり、利用者により指定される値である。振動許容値の指定値は、乗りかご内振動、昇降路内振動、機械室内振動、隣接居室内振動、ダクト内振動等、それぞれに対して個々の指定値を含んでいてもよい。なお、このシミュレーション条件は、端末装置１００から送信される作成条件と別個に送信されるものであってもよい。
【００２５】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、端末装置１００から送信される、基本情報、昇降機仕様情報、建物情報等を含む作成条件に対応するＢＩＭパーツを、パーツ情報データベース２０６ａに記憶されたパーツ情報を用いて作成してもよい。
【００２６】
昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた建物情報等に基づいて、建築物の概要、規模、設置位置、電源設備容量等から当該建築物に設置可能な昇降機のＢＩＭパーツを単数あるいは複数作成してもよい。また、昇降機モデリング部２０２ｂは、作成条件受信部２０２ａにより受信された作成条件に基づいた基本情報、昇降機仕様情報等に応じてＢＩＭパーツを自動的に最適化して作成するようにしてもよい。昇降機モデリング部２０２ｂは、作成した昇降機のＢＩＭパーツを記憶部２０６に格納して、ＢＩＭパーツデータベース（図示せず）を構築してもよい。また、昇降機モデリング部２０２ｂが作成した昇降機のＢＩＭパーツは、このＢＩＭパーツ自体に対象の昇降機に関連するパーツ情報等の属性情報を含んでいる。
【００２７】
解析部２０２ｃは、入力される昇降機に関するシミュレーション条件と、ＢＩＭモデルに含まれる建築物に関する建物情報と、昇降機モデリング部２０２ｂが作成した前記ＢＩＭパーツとに基づいて、計算式ファイル２０６ｂに記憶された各種所定の計算式を用いて昇降機に関する各種シミュレーションを実行する解析手段である。ここで、各種シミュレーションに用いるシミュレーション条件、建物情報は、端末装置１００から送信され作成条件受信部２０２ａにより受信された作成条件に含まれているものを用いてもよいし、作成条件とは別個に送信され制御部２０２により受信されたものを用いてもよい。また、建物情報は、当該建物情報を属性情報として含む対象の建築物のＢＩＭモデルそのものを用いてもよいし、後述するＢＩＭモデルデータベース１０６ａに格納されている対象の建築物のＢＩＭモデルから制御部２０２がネットワーク３００等を介して取得したものを用いてもよい。またここでは、各種シミュレーションは、昇降機がエレベータである場合を説明するが、昇降機が乗客コンベアである場合にも適用可能である。昇降機が乗客コンベアである場合、昇降路は、利用者が乗り込み踏段等が移動する空間部分に相当する。
【００２８】
解析部２０２ｃは、典型的には、入力されるシミュレーション条件と、対象のＢＩＭモデルに含まれる建築物に関する建物情報と、昇降機モデリング部２０２ｂが作成したＢＩＭパーツとに基づいて、ＢＩＭモデルが表す建築物内でＢＩＭパーツが表す昇降機が走行する際に発生する昇降路内の風圧変化に関するシミュレーション（風圧シミュレーション）を実行する。解析部２０２ｃは、計算式ファイル２０６ｂに記憶された風圧変化に関する計算式を用いて風圧シミュレーションを実行する。風圧変化に関する計算式は、種々の公知の計算式を用いればよい。この場合、解析部２０２ｃは、例えば、シミュレーション条件、対象の建築物のＢＩＭモデルの建物情報、作成されたＢＩＭパーツのパーツ情報（パーツシミュレーション情報等）を取得する。そして、解析部２０２ｃは、これらの情報と計算式ファイル２０６ｂに記憶された情報に基づいて、ＢＩＭモデルが表す建築物内でＢＩＭパーツが表す昇降機が走行する際に発生する昇降路内の風圧計算を行う。
【００２９】
例えば、エレベータは、乗りかごが狭い昇降路を高速走行すると、乗りかごの進行方向前方にある空気が圧縮されて空気圧が高まる一方、進行方向後方の空気圧が低くなる。そして、昇降路内での風圧変化は、乗りかごの進行方向前方（高圧側）の空気が乗りかごと昇降路壁との隙間を介して進行方向後方（低圧側）に勢いよく流れ込むことで生じる。昇降路内での風圧は、建物情報（昇降路スペース情報）に含まれる建築物の構成、形状、寸法、材質、事象やパーツシミュレーション情報に含まれる昇降機の構成、形状、寸法、材質、事象、各種壁面の透過損失等に応じて乗りかごの走行に伴って変化する。解析部２０２ｃは、シミュレーション条件、ＢＩＭモデルの建物情報、ＢＩＭパーツのパーツシミュレーション情報等に基づいて、風圧変化に関する計算式を用いて、上記のような昇降機の走行時に発生する昇降路内の風圧変化を計算する。
【００３０】
同様に、解析部２０２ｃは、入力されるシミュレーション条件と、対象のＢＩＭモデルに含まれる建築物に関する建物情報と、昇降機モデリング部２０２ｂが作成したＢＩＭパーツとに基づいて、ＢＩＭモデルが表す建築物内でＢＩＭパーツが表す昇降機が走行する際に発生する騒音に関するシミュレーション（騒音シミュレーション）を実行する。解析部２０２ｃは、計算式ファイル２０６ｂに記憶された騒音に関する計算式を用いて騒音シミュレーションを実行する。騒音に関する計算式は、種々の公知の計算式を用いればよい。この場合、解析部２０２ｃは、例えば、シミュレーション条件、対象の建築物のＢＩＭモデルの建物情報、作成されたＢＩＭパーツのパーツ情報（パーツシミュレーション情報等）を取得する。そして、解析部２０２ｃは、これらの情報と計算式ファイル２０６ｂに記憶された情報に基づいて、ＢＩＭモデルが表す建築物内でＢＩＭパーツが表す昇降機が走行する際に発生する騒音計算を行う。
【００３１】
例えば、エレベータは、乗りかごの進行方向前方（高圧側）の空気が乗りかごと昇降路壁との隙間を介して進行方向後方（低圧側）に勢いよく流れ込むことで生じる昇降路内での風圧変化や各種機器の作動状態、乗りかごの昇降位置等に応じて音響エネルギや音圧が変化する。例えば、乗りかごと昇降路壁との隙間が狭いほど、その空気流の速さ（風速）が大きくなり、風音も大きくなることによって騒音も大きくなる。騒音は、建物情報（昇降路スペース情報）に含まれる建築物の構成、形状、寸法、材質、事象やパーツシミュレーション情報に含まれる昇降機の構成、形状、寸法、材質、事象、各種壁面の透過損失等に応じて乗りかごの走行に伴って変化する。解析部２０２ｃは、シミュレーション条件、ＢＩＭモデルの建物情報、ＢＩＭパーツのパーツシミュレーション情報等に基づいて、騒音に関する計算式を用いて、上記のような昇降機の走行時に発生する昇降路内の騒音を計算する。この場合、解析部２０２ｃは、乗りかご内騒音、昇降路内騒音、機械室内騒音、隣接居室内騒音、ダクト内騒音等、各所の騒音を個々に計算してもよい。
【００３２】
同様に、解析部２０２ｃは、入力されるシミュレーション条件と、対象のＢＩＭモデルに含まれる建築物に関する建物情報と、昇降機モデリング部２０２ｂが作成したＢＩＭパーツとに基づいて、ＢＩＭモデルが表す建築物内でＢＩＭパーツが表す昇降機が走行する際に発生する振動に関するシミュレーション（振動シミュレーション）を実行する。解析部２０２ｃは、計算式ファイル２０６ｂに記憶された振動に関する計算式を用いて振動シミュレーションを実行する。振動に関する計算式は、種々の公知の計算式を用いればよい。この場合、解析部２０２ｃは、例えば、シミュレーション条件、対象の建築物のＢＩＭモデルの建物情報、作成されたＢＩＭパーツのパーツ情報（パーツシミュレーション情報等）を取得する。そして、解析部２０２ｃは、これらの情報と計算式ファイル２０６ｂに記憶された情報に基づいて、ＢＩＭパーツが表す昇降機の走行時に発生する振動計算を行う。
【００３３】
例えば、エレベータは、乗りかごの進行方向前方（高圧側）の空気が乗りかごと昇降路壁との隙間を介して進行方向後方（低圧側）に勢いよく流れ込むことで生じる昇降路内での風圧変化や各種機器の作動状態、乗りかごの昇降位置等に応じて振動エネルギが変化する。振動は、建物情報（昇降路スペース情報）に含まれる建築物の構成、形状、寸法、材質、事象やパーツシミュレーション情報に含まれる昇降機の構成、形状、寸法、材質、事象、各種壁面の透過損失等に応じて乗りかごの走行に伴って変化する。解析部２０２ｃは、シミュレーション条件、ＢＩＭモデルの建物情報、ＢＩＭパーツのパーツシミュレーション情報等に基づいて、振動に関する計算式を用いて、上記のような昇降機の走行時に発生する昇降路内の振動を計算する。この場合、解析部２０２ｃは、乗りかご内振動、昇降路内振動、機械室内振動、隣接居室内振動、ダクト内振動等、各所の振動を個々に計算してもよい。
【００３４】
自動作成部２０２ｄは、解析部２０２ｃにより実行された風圧変化、騒音、振動に関する各種シミュレーションの結果に基づいて、シミュレーションの結果を反映させたＢＩＭパーツを、パーツ情報データベース２０６ａに記憶されたパーツ情報を用いて自動で作成する自動作成手段である。
【００３５】
自動作成部２０２ｄは、典型的には、解析部２０２ｃにより実行された風圧シミュレーションの結果に基づいて、ＢＩＭパーツが表す昇降機の走行時に発生する昇降路内の風圧が予め設定された風圧許容値を超えた場合、当該風圧シミュレーションの結果を反映させたＢＩＭパーツを自動で作成するようにしてもよい。この場合、自動作成部２０２ｄは、風圧シミュレーションで算出された昇降路内の風圧が当該風圧許容値以下となるＢＩＭパーツを、パーツ情報データベース２０６ａに記憶されたパーツ情報を用いて作成する。ここで、風圧許容値は、上述したようにシミュレーション条件に含まれる風圧許容値の指定値に応じた値である。
【００３６】
同様に、自動作成部２０２ｄは、典型的には、解析部２０２ｃにより実行された騒音シミュレーションの結果に基づいて、ＢＩＭパーツが表す昇降機の走行時に発生する昇降路内の騒音が予め設定された騒音許容値を超えた場合、当該騒音シミュレーションの結果を反映させたＢＩＭパーツを自動で作成するようにしてもよい。この場合、自動作成部２０２ｄは、騒音シミュレーションで算出された昇降路内の騒音が当該騒音許容値以下となるＢＩＭパーツを、パーツ情報データベース２０６ａに記憶されたパーツ情報を用いて作成する。自動作成部２０２ｄは、乗りかご内騒音、昇降路内騒音、機械室内騒音、隣接居室内騒音、ダクト内騒音のうちのいずれか１つがそれぞれの騒音許容値を超えた場合に上記のようにＢＩＭパーツを自動で作成するようにしてもよいし、全ての騒音が騒音許容値を超えた場合に上記のようにＢＩＭパーツを自動で作成するようにしてもよい。ここで、騒音許容値は、上述したようにシミュレーション条件に含まれる騒音許容値の指定値に応じた値である。
【００３７】
同様に、自動作成部２０２ｄは、典型的には、解析部２０２ｃにより実行された振動シミュレーションの結果に基づいて、ＢＩＭパーツが表す昇降機の走行時に発生する昇降路内の振動が予め設定された振動許容値を超えた場合、当該振動シミュレーションの結果を反映させたＢＩＭパーツを自動で作成するようにしてもよい。この場合、自動作成部２０２ｄは、振動シミュレーションで算出された昇降路内の振動が当該振動許容値以下となるＢＩＭパーツを、パーツ情報データベース２０６ａに記憶されたパーツ情報を用いて作成する。自動作成部２０２ｄは、乗りかご内振動、昇降路内振動、機械室内振動、隣接居室内振動、ダクト内振動のうちのいずれか１つがそれぞれの振動許容値を超えた場合に上記のようにＢＩＭパーツを自動で作成するようにしてもよいし、全ての振動が振動許容値を超えた場合に上記のようにＢＩＭパーツを自動で作成するようにしてもよい。ここで、振動許容値は、上述したようにシミュレーション条件に含まれる振動許容値の指定値に応じた値である。
【００３８】
情報提供部２０２ｅは、昇降機モデリング部２０２ｂにより作成されたＢＩＭパーツと、解析部２０２ｃにより実行された風圧シミュレーション、騒音シミュレーション、振動シミュレーションの結果とを端末装置１００へ送信する情報提供手段である。ここでは、情報提供部２０２ｅは、作成されたＢＩＭパーツの情報、風圧シミュレーション、騒音シミュレーション、振動シミュレーションの結果の情報を含むＢＩＭ情報を生成し、生成されたＢＩＭ情報を端末装置１００へ送信する。また、情報提供部２０２ｅは、必要に応じて、自動作成部２０２ｄにより自動作成されたＢＩＭパーツの情報、パーツ情報データベース２０６ａに記憶されているパーツ情報、計算式ファイル２０６ｂに記憶された情報も含むＢＩＭ情報を生成し、生成されたＢＩＭ情報を端末装置１００へ送信する。
【００３９】
［端末装置１００の構成］
図２において、端末装置１００は、サーバ装置２００から送信された昇降機のＢＩＭパーツを、記憶部１０６に記憶された建築物のＢＩＭモデルに組み込んだ状態で、サーバ装置２００から送信された風圧シミュレーション、騒音シミュレーション、振動シミュレーションの結果を表示部１１４に表示させる機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００４０】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００４１】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００４２】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデルデータベース１０６ａ等）を格納してもよい。ここで、記憶部１０６は、各種のファイル等を一時的に記憶するものであってもよい。
【００４３】
これら記憶部１０６の各構成要素のうち、ＢＩＭモデルデータベース１０６ａは、上述したような建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルデータベース１０６ａに記憶されたＢＩＭモデルは、例えば、上述した対象の建築物の建物情報等の属性情報を含んでもよいが、これに限定されない。本実施形態において、上述の昇降機モデリング部２０２ｂによりＢＩＭパーツを作成する際、解析部２０２ｃによりシミュレーションを実行する際等に、上述の建物情報やＢＩＭモデルそのものが参照されてもよい。また、ＢＩＭモデルデータベース１０６ａは、随時、ＢＩＭモデルが最新データに更新される。
【００４４】
なお、このＢＩＭモデルデータベース１０６ａは、端末装置１００の記憶部１０６に設けられるものとして説明するがこれに限らない。ＢＩＭモデルデータベース１０６ａは、サーバ装置２００の記憶部２０６に設けられていてもよいし、ネットワーク３００等を介して端末装置１００、サーバ装置２００と通信可能に接続された記憶装置（不図示）に設けられていてもよい。
【００４５】
図２において、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、画面生成部１０２ｃ、及び、画面表示部１０２ｄを備える。
【００４６】
このうち、作成条件送信部１０２ａは、入力された作成条件をサーバ装置２００へ送信する作成条件送信手段である。作成条件は、上述したように利用者が所望する建築物のＢＩＭモデルに組込可能な昇降機のＢＩＭパーツを作成するための条件を指定するものである。作成条件は、利用者により端末装置１００において入力部１１８を介して入力されたものを含んでいてもよいし、予め作成条件が記憶された外部記憶装置（図示せず）から読み込まれて入力されたものを含んでいてもよい。さらに、作成条件は、端末装置１００（作成条件送信部１０２ａや不図示の自動抽出部等）がＢＩＭモデルデータベース１０６ａに格納されている建築物のＢＩＭモデル等から自動で抽出し入力されたものを含んでいてもよい。なお、制御部１０２は、上述したように、シミュレーション条件や建物情報、ＢＩＭモデルそのものに関する情報等を、この作成条件送信部１０２ａによって作成条件に含ませて送信してもよいし、別個の送信部によって作成条件とは別個に送信してもよい。
【００４７】
情報取得部１０２ｂは、情報提供部２０２ｅによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報、解析部２０２ｃにより実行された風圧シミュレーション、騒音シミュレーション、振動シミュレーションの結果の情報等を含むＢＩＭ情報を取得する。また、情報取得部１０２ｂは、例えば、必要に応じて自動作成部２０２ｄにより自動作成されたＢＩＭパーツの情報、パーツ情報データベース２０６ａに記憶されているパーツ情報、計算式ファイル２０６ｂに記憶された情報等を含むＢＩＭ情報を取得する。
【００４８】
画面生成部１０２ｃは、情報提供部２０２ｅによりサーバ装置２００から送信され情報取得部１０２ｂにより受信、取得されたＢＩＭ情報に基づいて、表示部１１４に表示させるためのレイアウト画面を生成する画面生成手段である。本実施形態の画面生成部１０２ｃは、ＢＩＭ情報に含まれるＢＩＭパーツと、ＢＩＭ情報に含まれる風圧シミュレーション、騒音シミュレーション、振動シミュレーションの結果とを含むレイアウト画面を生成する。
【００４９】
画面生成部１０２ｃは、例えば、昇降機モデリング部２０２ｂ、あるいは、自動作成部２０２ｄにより作成されサーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段としても機能する。例えば、画面生成部１０２ｃは、図４に示すようなエレベータのＢＩＭパーツを建築物のＢＩＭモデルに組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。画面生成部１０２ｃは、作成した統合ＢＩＭモデルを記憶部１０６に格納して、統合ＢＩＭモデルデータベース（図示せず）を構築してもよい。そして、画面生成部１０２ｃは、作成した統合ＢＩＭモデルを含むレイアウト画面を生成する。
【００５０】
そしてさらに、本実施形態の画面生成部１０２ｃは、作成した統合ＢＩＭモデルと共に、例えば、図５に示すような解析部２０２ｃにより実行されサーバ装置２００から送信された風圧シミュレーション、騒音シミュレーション、振動シミュレーションの結果を含むレイアウト画面を生成する。図５は、シミュレーション結果の一例を示す図である。つまり、画面生成部１０２ｃは、情報提供部２０２ｅによりサーバ装置２００から送信されたＢＩＭパーツが表す昇降機を、ＢＩＭモデルが表す建築物に組み込んだ状態で、情報提供部２０２ｅによりサーバ装置２００から送信された風圧シミュレーション、騒音シミュレーション、振動シミュレーションの結果を含むレイアウト画面を生成する。
【００５１】
画面表示部１０２ｄは、情報提供部２０２ｅによりサーバ装置２００から送信され情報取得部１０２ｂにより受信、取得されたＢＩＭ情報に基づいて、表示部１１４にレイアウト画面を表示させる画面表示手段である。本実施形態の画面表示部１０２ｄは、ＢＩＭ情報に含まれるＢＩＭパーツと、ＢＩＭ情報に含まれる風圧シミュレーション、騒音シミュレーション、振動シミュレーションの結果とを含むレイアウト画面を表示部１１４に表示させる。
【００５２】
ここでは、画面表示部１０２ｄは、画面生成部１０２ｃにより生成されたレイアウト画面を表示部１１４に表示させる。画面表示部１０２ｄは、例えば、図４に示すような３次元の統合ＢＩＭモデルを含むレイアウト画面を表示部１１４に表示させる。
【００５３】
そしてさらに、本実施形態の画面表示部１０２ｄは、上記３次元の統合ＢＩＭモデルと共に、例えば、図５に示すような解析部２０２ｃにより実行されサーバ装置２００から送信された風圧シミュレーション、騒音シミュレーション、振動シミュレーションの結果を含むレイアウト画面を表示部１１４に表示させる。つまり、画面表示部１０２ｄは、情報提供部２０２ｅによりサーバ装置２００から送信されたＢＩＭパーツが表す昇降機を、ＢＩＭモデルが表す建築物に組み込んだ状態で、情報提供部２０２ｅによりサーバ装置２００から送信された風圧シミュレーション、騒音シミュレーション、振動シミュレーションの結果を表示部１１４に表示させる。
【００５４】
より詳細には、画面表示部１０２ｄは、例えば、図５に表示するように、風圧シミュレーションの結果に基づいて、ＢＩＭパーツが表す昇降機をＢＩＭモデルが表す建築物に組み込んだ状態で、昇降機の走行時に発生する昇降路１内の風圧変化として、昇降路１を形成する昇降路壁２の風圧分布及び昇降路１内の風圧方向を表示部１１４に表示させる。ここで、昇降路壁２の風圧分布とは、典型的には、昇降路壁２に作用する風圧の分布である。また、昇降路１内の風圧方向とは、典型的には、昇降路１内において風が流れる方向である。
【００５５】
この場合、図５に例示するレイアウト画面では、画面表示部１０２ｄは、例えば、矢印Ａ、Ｂ、Ｃ等により表示部１１４に風圧方向を表示させ、昇降機の走行時に発生する昇降路内の風圧方向を３次元で可視化する。ここで、矢印Ａは、乗りかご３と昇降路壁２との隙間における風圧方向を表している。矢印Ｂは、昇降路１と連通するダクト４における風圧方向を表している。矢印Ｃは、巻上機５が配置される機械室６のロープ孔７における風圧方向を表している。さらに、画面表示部１０２ｄは、例えば、風圧許容値を基準に風圧レベルを色分けした昇降路壁２の風圧分布を表示部１１４に表示させ、昇降機の走行時に発生する昇降路壁２の風圧分布（昇降路壁２の下部から頂部までの風圧分布）を３次元で可視化する。画面表示部１０２ｄは、例えば、昇降路壁２において、風圧許容値と同等あるいはやや高い風圧レベルにある領域を「検討要レベル」として赤色で、風圧許容値よりやや低い風圧レベルにある領域を「注意レベル」として黄色で、風圧許容値に対して十分に低い風圧レベルにある領域を「問題なしレベル」として白色（もしくは青色）で、色分けして表示部１１４に表示させる。そして、画面表示部１０２ｄは、ＢＩＭパーツが表す昇降機の走行パターンに連動させて、上記のように色分けされた昇降路壁２の風圧分布、昇降路１内の風圧方向を表示部１１４に表示させてもよい。すなわち、画面表示部１０２ｄは、表示部１１４に表示される乗りかご３等の走行にあわせて、昇降路壁２の風圧分布や昇降路１内の風圧方向が変化する様を動的に表示部１１４に表示させてもよい。
【００５６】
同様に、画面表示部１０２ｄは、騒音シミュレーションの結果に基づいて、ＢＩＭパーツが表す昇降機をＢＩＭモデルが表す建築物に組み込んだ状態で、ＢＩＭパーツが表す昇降機の走行パターンに連動させて、騒音許容値を基準に騒音レベルを色分けした騒音分布を表示部１１４に表示させ、昇降機の走行時に発生する騒音の影響を３次元で可視化する。画面表示部１０２ｄは、振動シミュレーションの結果に基づいて、ＢＩＭパーツが表す昇降機をＢＩＭモデルが表す建築物に組み込んだ状態で、ＢＩＭパーツが表す昇降機の走行パターンに連動させて、振動許容値を基準に振動レベルを色分けした振動分布を表示部１１４に表示させ、昇降機の走行時に発生する振動の影響を３次元で可視化する。
【００５７】
この場合、図５に例示するレイアウト画面では、画面表示部１０２ｄは、例えば、乗りかご３内、昇降路１内、機械室６内、隣接居室８内、ダクト４内のそれぞれにおいて、下記のように色分けする。すなわち、画面表示部１０２ｄは、それぞれの騒音許容値と同等あるいはやや高い騒音レベルにある空間を「検討要レベル」として赤色で、騒音許容値よりやや低い騒音レベルにある空間を「注意レベル」として黄色で、騒音許容値に対して十分に低い騒音レベルにある空間を「問題なしレベル」として白色（もしくは青色）で、色分けして表示部１１４に表示させる。同様に、画面表示部１０２ｄは、それぞれの振動許容値と同等あるいはやや高い振動レベルにある空間を「検討要レベル」として赤色で、振動許容値よりやや低い振動レベルにある空間を「注意レベル」として黄色で、振動許容値に対して十分に低い振動レベルにある空間を「問題なしレベル」として白色（もしくは青色）で、色分けして表示部１１４に表示させる。そして、画面表示部１０２ｄは、ＢＩＭパーツが表す昇降機の走行パターンに連動させて、上記のように色分けされた騒音、振動を表示部１１４に表示させてもよい。すなわち、画面表示部１０２ｄは、表示部１１４に表示される乗りかご３等の走行にあわせて騒音、振動が変化する様を動的に表示部１１４に表示させてもよい。
【００５８】
以上で、第１の実施形態におけるＢＩＭシステム１０の構成の一例の説明を終える。
【００５９】
［ＢＩＭシステム１０の処理］
次に、このように構成された第１の実施形態におけるＢＩＭシステム１０の処理の一例について、以下に図６乃至図８を参照して詳細に説明する。図６は、第１の実施形態におけるＢＩＭシステム１０の基本処理の一例を示すフローチャートである。図７は、第１の実施形態における風圧シミュレーション実行処理の一例を示すフローチャートである。図８は、第１の実施形態における騒音・振動シミュレーション実行処理の一例を示すフローチャートである。
【００６０】
図６に示すように、端末装置１００の作成条件送信部１０２ａは、サーバ装置２００にアクセス可能かを判定した後、可能であれば作成条件をサーバ装置２００へ送信する（ステップＳＡ−１）。
【００６１】
そして、サーバ装置２００の作成条件受信部２０２ａは、ステップＳＡ−１にて作成条件送信部１０２ａの処理により送信される作成条件を受信する（ステップＳＡ−２）。
【００６２】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。
【００６３】
そして、サーバ装置２００の解析部２０２ｃは、ステップＳＡ−２にて作成条件受信部２０２ａの処理により受信された作成条件に含まれるシミュレーション条件、ＢＩＭモデルに含まれる建物情報と、ステップＳＡ−３にて昇降機モデリング部２０２ｂの処理により作成された昇降機のＢＩＭパーツとに基づいて、風圧シミュレーションを実行する（ステップＳＡ−４）。
【００６４】
ここで、図７を参照して風圧シミュレーション実行処理の一例を説明する。
【００６５】
図７に示すように、サーバ装置２００の解析部２０２ｃは、作成条件に含まれるシミュレーション条件及び対象の建築物のＢＩＭモデルの建物情報と、作成されたＢＩＭパーツとに基づいて、カゴ平面外法寸法（カゴ定員）、昇降機の定格速度、昇降路平面有効寸法等、風圧シミュレーションで必要とされるパラメータの指定を行うと共に（ステップＳＡ−４１）、風圧許容値を指定する（ステップＳＡ−４２）。ここで、作成条件は、上述のステップＳＡ−２にて作成条件受信部２０２ａの処理により受信された条件である。昇降機のＢＩＭパーツは、上述のステップＳＡ−３にて昇降機モデリング部２０２ｂの処理により作成された昇降機のＢＩＭパーツである。
【００６６】
そして、サーバ装置２００の解析部２０２ｃは、ステップＳＡ−４１にて解析部２０２ｃの処理により指定された風圧シミュレーションで必要とされるパラメータと、計算式ファイル２０６ｂに記憶された風圧変化に関する計算式とに基づいて、ＢＩＭパーツが表す昇降機の走行時に発生する昇降路内の風圧計算を行う（ステップＳＡ−４３）。
【００６７】
そして、サーバ装置２００の解析部２０２ｃは、ステップＳＡ−４２にて解析部２０２ｃの処理により指定された風圧許容値の指定値と、ステップＳＡ−４３にて解析部２０２ｃの処理により計算された風圧とを比較する。解析部２０２ｃは、計算された風圧、典型的には、昇降路壁に作用する風圧が風圧許容値の指定値以下であるか否かを判定する（ステップＳＡ−４４）。
【００６８】
サーバ装置２００の解析部２０２ｃは、ステップＳＡ−４４にて解析部２０２ｃの処理により風圧が風圧許容値の指定値以下であると判定された場合（ステップＳＡ−４４：Ｙｅｓ）、ステップＳＡ−４３にて解析部２０２ｃの処理により計算された風圧計算の結果を、端末装置１００にＢＩＭ情報として送信する風圧シミュレーションの結果に決定し（ステップＳＡ−４５）、この処理を終了する。
【００６９】
サーバ装置２００の自動作成部２０２ｄは、ステップＳＡ−４４にて解析部２０２ｃの処理により風圧が風圧許容値の指定値を超えたと判定された場合（ステップＳＡ−４４：Ｎｏ）、下記の処理を行う。すなわち、自動作成部２０２ｄは、昇降路壁に作用する風圧が、ステップＳＡ−４２にて解析部２０２ｃの処理により指定された風圧許容値の指定値以下となるＢＩＭパーツを、パーツ情報データベース２０６ａに記憶されたパーツ情報を用いて自動で作成する（ステップＳＡ−４６）。
【００７０】
そして、サーバ装置２００の情報提供部２０２ｅは、ステップＳＡ−４６にて自動作成部２０２ｄの処理により作成された昇降機のＢＩＭパーツの各種パラメータの情報を、代案として端末装置１００へ送信し、端末装置１００において、当該代案を表示部１１４に表示させ、変更の可否を確認する（ステップＳＡ−４７）。
【００７１】
そして、サーバ装置２００の解析部２０２ｃは、利用者によって入力部１１８等を介して端末装置１００に入力されサーバ装置２００に送信される変更可否に関する情報に基づいて、利用者により変更を許可する旨の意思が示されたか否かを判定する（ステップＳＡ−４８）。
【００７２】
サーバ装置２００の解析部２０２ｃは、ステップＳＡ−４８にて解析部２０２ｃの処理により変更を許可する旨の意思が示されたと判定された場合（ステップＳＡ−４８：Ｙｅｓ）、ステップＳＡ−４６にて自動作成部２０２ｄの処理により作成された昇降機のＢＩＭパーツの各種パラメータに基づいて、代案の風圧シミュレーションで必要とされるパラメータの指定を行う（ステップＳＡ−４９）。
【００７３】
そして、サーバ装置２００の解析部２０２ｃは、ステップＳＡ−４９にて解析部２０２ｃの処理により指定された代案の風圧シミュレーションで必要とされるパラメータと、計算式ファイル２０６ｂに記憶された風圧変化に関する計算式とに基づいて、ＢＩＭパーツが表す昇降機の走行時に発生する昇降路内の風圧計算を行う（ステップＳＡ−５０）。
【００７４】
そして、サーバ装置２００の解析部２０２ｃは、ステップＳＡ−５０にて解析部２０２ｃの処理により計算された代案の風圧計算の結果を、端末装置１００にＢＩＭ情報として送信する風圧シミュレーションの結果に決定し（ステップＳＡ−４５）、この処理を終了する。この場合、解析部２０２ｃは、代案計算前の風圧シミュレーションの結果、すなわち、風圧が風圧許容値の指定値を超えたと判定されたＢＩＭパーツの風圧シミュレーションの結果もＮＧ結果としてＢＩＭ情報に含ませてもよい。
【００７５】
サーバ装置２００の制御部２０２は、ステップＳＡ−４８にて解析部２０２ｃの処理により変更を許可する旨の意思が示されていないと判定された場合（ステップＳＡ−４８：Ｎｏ）、処理をステップＳＡ−４２に移行させ、風圧許容値を再度指定させる。
【００７６】
図６に戻って、サーバ装置２００の解析部２０２ｃは、ステップＳＡ−４を実行した後、ステップＳＡ−２にて作成条件受信部２０２ａの処理により受信された作成条件と、建築物のＢＩＭモデルと、ステップＳＡ−３にて昇降機モデリング部２０２ｂの処理により作成された昇降機のＢＩＭパーツとに基づいて、騒音・振動シミュレーションを実行する（ステップＳＡ−５）。
【００７７】
ここで、図８を参照して騒音・振動シミュレーション実行処理の一例を説明する。なお、騒音シミュレーション実行処理と振動シミュレーション実行処理とは、以下の説明では主に騒音シミュレーション実行処理を説明し、振動シミュレーション実行処理の説明はカッコ内に記載する。
【００７８】
図８に示すように、サーバ装置２００の解析部２０２ｃは、作成条件に含まれるシミュレーション条件及び対象の建築物のＢＩＭモデルの建物情報と、作成されたＢＩＭパーツとに基づいて、音源機器データ、昇降路平面有効寸法、機械室床面積、機械室孔面積、透過損失、ダクト寸法、各種対策有無等、騒音（振動）シミュレーションで必要とされるパラメータの指定を行うと共に（ステップＳＡ−５１）、騒音（振動）許容値を指定する（ステップＳＡ−５２）。ここで、作成条件は、上述のステップＳＡ−２にて作成条件受信部２０２ａの処理により受信された条件である。昇降機のＢＩＭパーツは、上述のステップＳＡ−３にて昇降機モデリング部２０２ｂの処理により作成された昇降機のＢＩＭパーツである。
【００７９】
そして、サーバ装置２００の解析部２０２ｃは、ステップＳＡ−５１にて解析部２０２ｃの処理により指定された騒音（振動）シミュレーションで必要とされるパラメータと、計算式ファイル２０６ｂに記憶された騒音（振動）に関する計算式とに基づいて、ＢＩＭパーツが表す昇降機の走行時に発生する昇降路内の騒音（振動）計算を行う（ステップＳＡ−５３）。
【００８０】
そして、サーバ装置２００の解析部２０２ｃは、ステップＳＡ−５２にて解析部２０２ｃの処理により指定された騒音（振動）許容値の指定値と、ステップＳＡ−５３にて解析部２０２ｃの処理により計算された騒音（振動）とを比較する。解析部２０２ｃは、計算された騒音（振動）が騒音（振動）許容値の指定値以下であるか否かを判定する（ステップＳＡ−５４）。この場合、解析部２０２ｃは、乗りかご３内、昇降路１内、機械室６内、隣接居室８内、ダクト４内のそれぞれにおいて、個々に騒音（振動）がそれぞれの騒音（振動）許容値の指定値以下であるか否かの判定を行う。
【００８１】
サーバ装置２００の自動作成部２０２ｄは、ステップＳＡ−５４にて解析部２０２ｃの処理により乗りかご３内、昇降路１内、機械室６内、隣接居室８内、ダクト４内のうちの少なくとも１つの騒音（振動）が騒音（振動）許容値の指定値を超えたと判定された場合（ステップＳＡ−５４：Ｎｏ）、下記のように処理する。すなわち、自動作成部２０２ｄは、騒音（振動）が、ステップＳＡ−５２にて解析部２０２ｃの処理により指定された騒音（振動）許容値の指定値以下となるＢＩＭパーツを、パーツ情報データベース２０６ａに記憶されたパーツ情報を用いて自動で作成する（ステップＳＡ−５５）。
【００８２】
そして、サーバ装置２００の情報提供部２０２ｅは、ステップＳＡ−５５にて自動作成部２０２ｄの処理により作成された昇降機のＢＩＭパーツの各種パラメータの情報を、騒音（振動）対策案として端末装置１００へ送信し、端末装置１００において、当該対策案を表示部１１４に表示させる（ステップＳＡ−５６）。
【００８３】
そして、サーバ装置２００の解析部２０２ｃは、ステップＳＡ−５５にて自動作成部２０２ｄの処理により作成された昇降機のＢＩＭパーツの各種パラメータに基づいて、対策案の騒音（振動）シミュレーションで必要とされるパラメータの指定を行う（ステップＳＡ−５７）。
【００８４】
そして、サーバ装置２００の解析部２０２ｃは、ステップＳＡ−５７にて解析部２０２ｃの処理により指定された対策案の騒音（振動）シミュレーションで必要とされるパラメータと、計算式ファイル２０６ｂに記憶された騒音（振動）変化に関する計算式とに基づいて、ＢＩＭパーツが表す昇降機の走行時に発生する昇降路内の騒音（振動）計算を行う（ステップＳＡ−５８）。
【００８５】
そして、サーバ装置２００の解析部２０２ｃは、ステップＳＡ−５８にて解析部２０２ｃの処理により計算された対策案の騒音（振動）計算の結果を、端末装置１００にＢＩＭ情報として送信する騒音（振動）シミュレーションの結果に決定し（ステップＳＡ−５９）、この処理を終了する。この場合、解析部２０２ｃは、対策案計算前の騒音（振動）シミュレーションの結果、すなわち、騒音（振動）が騒音（振動）許容値の指定値を超えたと判定されたＢＩＭパーツの騒音（振動）シミュレーションの結果もＮＧ結果としてＢＩＭ情報に含ませてもよい。
【００８６】
サーバ装置２００の解析部２０２ｃは、ステップＳＡ−５４にて解析部２０２ｃの処理により乗りかご３内、昇降路１内、機械室６内、隣接居室８内、ダクト４内の全ての騒音（振動）が騒音（振動）許容値の指定値以下であると判定された場合（ステップＳＡ−５４：Ｙｅｓ）、下記のように処理する。すなわち、解析部２０２ｃは、ステップＳＡ−５３にて解析部２０２ｃの処理により計算された騒音（振動）計算の結果を、端末装置１００にＢＩＭ情報として送信する騒音（振動）シミュレーションの結果に決定し（ステップＳＡ−５９）、この処理を終了する。
【００８７】
なお、サーバ装置２００の制御部２０２は、風圧シミュレーションと同様に、利用者の変更許可に応じて上記騒音（振動）対策案を反映させるようにしてもよい。
【００８８】
図６に戻って、サーバ装置２００の情報提供部２０２ｅは、ステップＳＡ−５の処理の後、ＢＩＭパーツの情報、風圧シミュレーションの結果の情報、騒音・振動シミュレーションの結果の情報を含むＢＩＭ情報を生成する（ステップＳＡ−６）。ＢＩＭパーツの情報は、ステップＳＡ−３にて昇降機モデリング部２０２ｂの処理により作成された昇降機のＢＩＭパーツの情報である。風圧シミュレーションの結果の情報は、ステップＳＡ−４にて解析部２０２ｃの処理により実行されたシミュレーションの結果の情報である。騒音・振動シミュレーションの結果の情報は、ステップＳＡ−５にて解析部２０２ｃの処理により実行されたシミュレーションの結果の情報である。この場合、情報提供部２０２ｅは、必要に応じて、パーツ情報データベース２０６ａに記憶されているパーツ情報、計算式ファイル２０６ｂに記憶された情報、ステップＳＡ−４あるいはステップＳＡ−５にて自動作成部２０２ｄの処理により作成されたＢＩＭパーツの情報を含むＢＩＭ情報を生成してもよい。
【００８９】
そして、サーバ装置２００の情報提供部２０２ｅは、ステップＳＡ−６での処理により生成したＢＩＭ情報を端末装置１００へ送信する（ステップＳＡ−７）。
【００９０】
そして、端末装置１００の情報取得部１０２ｂは、ステップＳＡ−７にて情報提供部２０２ｅの処理により送信されたＢＩＭ情報を受信する（ステップＳＡ−８）。
【００９１】
そして、端末装置１００の画面生成部１０２ｃは、ステップＳＡ−８にて情報取得部１０２ｂの処理により受信されたＢＩＭ情報に基づいてレイアウト画面を生成する（ステップＳＡ−９）。
【００９２】
そして、端末装置１００の画面表示部１０２ｄは、ステップＳＡ−９にて画面生成部１０２ｃの処理により生成されたレイアウト画面を表示部１１４に表示させ（ステップＳＡ−１０）、この処理を終了する。例えば、画面表示部１０２ｄは、上述した図５に例示するようなレイアウト画面を表示部１１４に表示させる。
【００９３】
なお、以上の説明では、本実施形態のＢＩＭシステム１０は、図６で説明した基本処理に、図７、図８で説明したシミュレーション実行処理を組み込んだ場合で説明したが、シミュレーション実行処理を基本処理とは独立させ、単独で実行してもよい。すなわち、解析部２０２ｃは、昇降機モデリング部２０２ｂによって既に作成済みのＢＩＭパーツを用いて各種のシミュレーションを行ってもよい。
【００９４】
以上で、第１の実施形態におけるＢＩＭシステム１０の処理の一例の説明を終える。
【００９５】
上記のように構成されるＢＩＭシステム１０は、例えば、各業種にて建物全体データである建築物の３次元モデル（すなわち、建築物のＢＩＭモデル）を共有することができるので、共通の最新データ上で同期しながら関連性及び整合性の確認を行うことができる。そして、ＢＩＭシステム１０は、昇降機の走行時に発生する昇降路内の風圧変化、騒音、振動等に関するシミュレーションを行い、これらのシミュレーション結果を自動で計算することができる。そして、ＢＩＭシステム１０は、図５に示すように、端末装置１００の表示部１１４に、建築物のＢＩＭモデルに昇降機のＢＩＭパーツを組み込んだ統合ＢＩＭモデルと共に、実際には目に見えづらい（見えない）風圧変化、騒音、振動等のシミュレーション結果を含んだレイアウト画面を表示することができる。これにより、ＢＩＭシステム１０は、ＢＩＭモデルに昇降機のＢＩＭパーツを組み込んだ統合ＢＩＭモデル上で、実際の建築物の空間では目に見えづらい昇降路内の風圧変化、騒音、振動等を昇降機の走行と連動させて３次元のイメージモデルで可視化し、検討することができる。この結果、ＢＩＭシステム１０は、高い設計品質を確保することができ、作業効率を向上することができる。また、ＢＩＭシステム１０は、風圧変化、騒音、振動等のシミュレーション結果が基準を満たさない場合には、代案、対策案を自動で作成し提示することができるので、この点でも高い設計品質を確保することができ、作業効率を向上することができる。
【００９６】
これにより、利用者は、施工前の計画段階で、昇降路内の風圧変化、騒音、振動等の対策を視覚的に容易に検討、確認、比較することができ、昇降機の仕様や工事内容等を効率よく検討しすすめることができる。さらに言えば、利用者は、昇降機を含む建築物の基本設計と実施設計とを連携したプロセスとすることができる。この場合、利用者は、昇降機の走行時に発生する昇降路内の風圧変化、騒音、振動を設計初期の段階からシミュレーションし視覚的に判断して最適化を図ることができ、例えば、デザイン性の向上、コスト低減、作業性向上、作業時間短縮等を図ることができる。また、利用者は、例えば、統合ＢＩＭモデル上で、昇降機の走行時に発生する昇降路内の風圧変化、騒音、振動等における問題箇所の全体を事前に視覚的に確認できる。そして、設計変更等が即座に利用者に対してフィードバックされ、よって、利用者は、タイムリーに作業を進めることができる。
【００９７】
また、利用者は、例えば、昇降機の走行時に発生する昇降路内の風圧変化、騒音、振動等の対策の検討において、客先や関係業者との調整、修正の過程を効率的に経ることができ、また同一建築物内での他の設備工事等との整合性も容易に図ることができる。また、利用者は、例えば、昇降機のデザイン選定等においても、客先のイメージの相互確認を容易に行うことができ、設備提案を効率よく行うことができ、短期間で客先に最適な仕様等を提案する。また、利用者は、例えば、工事完了後の利用環境、昇降機の動き等を可視化してシミュレーションすることができ、客先に対して容易に種々の検証及び提案を行うことができる。
【００９８】
なお、以上で説明したＢＩＭシステム１０は、風圧シミュレーション、騒音シミュレーション、振動シミュレーションをすべて実行するものとして説明したがこれに限らない。また、画面表示部１０２ｄは、統合ＢＩＭモデルと共に、風圧シミュレーション、騒音シミュレーション、振動シミュレーションの結果を表す数値データを含むレイアウト画面を表示部１１４に表示させてもよい。
【００９９】
［第２の実施形態］
図９は、第２の実施形態におけるＢＩＭシステムの構成の一例を示すブロック図、図１０は、第２の実施形態における基本処理の一例を示すフローチャートである。第２の実施形態に係るＢＩＭシステム（機能分散型のＢＩＭシステム）は、解析手段が端末装置側に設けられている点で第１の実施形態とは異なる。その他、上述した実施形態と共通する構成、作用、効果については、重複した説明はできるだけ省略する。
【０１００】
［ＢＩＭシステム２０の構成］
まず、第２の実施形態におけるＢＩＭシステムの構成の一例について、図９を参照して以下に説明する。図９は、第２の実施形態におけるＢＩＭシステムの構成の一例を示すブロック図であり、該構成のうち主要な部分を概念的に示している。なお、第２の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。また、本実施形態においては、通信型のＢＩＭシステムを具体例として説明するが、これに限ることなく、スタンドアロン型のＢＩＭシステムなどにも適用可能である。
【０１０１】
図９に示すように、第２の実施形態のＢＩＭシステム２０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。図９に示すように、第２の実施形態のＢＩＭシステム２０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【０１０２】
［サーバ装置２００の構成］
ここで、図９において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成されたＢＩＭパーツを端末装置１００へ送信する機能を有する。これにより、サーバ装置２００は、端末装置１００において、シミュレーション条件と、ＢＩＭモデルに含まれる建築物に関する建物情報と、サーバ装置２００から送信されたＢＩＭパーツとに基づいて、ＢＩＭモデルが表す建築物内でサーバ装置２００から送信されたＢＩＭパーツが表す昇降機が走行する際に発生する昇降路内の風圧変化に関するシミュレーションを実行させる機能を有する。またこれにより、サーバ装置２００は、端末装置１００において、サーバ装置２００から送信されたＢＩＭパーツを、ＢＩＭモデルに組み込んだ状態で、風圧変化に関するシミュレーションの結果を表示部１１４に表示させるに表示させる機能を有する。
【０１０３】
サーバ装置２００は、通信制御インターフェース部２０４を介してネットワーク３００を経由し、端末装置１００と相互に通信可能に接続されており、制御部２０２と記憶部２０６とを備える。
【０１０４】
図９において、サーバ装置２００の記憶部２０６は、パーツ情報データベース２０６ａを備える。サーバ装置２００の記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。
【０１０５】
図９において、サーバ装置２００の制御部２０２は、機能概念的に、作成条件受信部２０２ａ、昇降機モデリング部２０２ｂ、自動作成部２０２ｄ、及び、情報提供部２０２ｅを備える。ここでは、制御部２０２は、上述の解析部２０２ｃ（図２参照）を備えていない。
【０１０６】
このうち、作成条件受信部２０２ａは、端末装置１００から送信される作成条件を受信する作成条件受信手段である。
【０１０７】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。
【０１０８】
自動作成部２０２ｄは、後述の端末装置１００の解析部１０２ｅにより実行され送信された風圧変化、騒音、振動に関する各種シミュレーションの結果に基づいて、シミュレーションの結果を反映させたＢＩＭパーツを、パーツ情報データベース２０６ａに記憶されたパーツ情報を用いて自動で作成する自動作成手段である。例えば、自動作成部２０２ｄは、後述の端末装置１００の解析部１０２ｅにより実行され送信された風圧シミュレーションの結果に基づいて、ＢＩＭパーツが表す昇降機の走行時に発生する昇降路内の風圧が予め設定された風圧許容値を超えた場合、当該風圧シミュレーションの結果を反映させたＢＩＭパーツを自動で作成するようにしてもよい。この場合、自動作成部２０２ｄは、風圧シミュレーションで算出された昇降路内の風圧が当該風圧許容値以下となるＢＩＭパーツを、パーツ情報データベース２０６ａに記憶されたパーツ情報を用いて作成する。自動作成部２０２ｄは、騒音シミュレーション、振動シミュレーションの結果に基づいて、同様の自動作成を行ってもよい。
【０１０９】
情報提供部２０２ｅは、昇降機モデリング部２０２ｂにより作成されたＢＩＭパーツを端末装置１００へ送信する情報提供手段である。ここでは、情報提供部２０２ｅは、作成されたＢＩＭパーツの情報を含むＢＩＭ情報を生成し、生成されたＢＩＭ情報を端末装置１００へ送信する。また、情報提供部２０２ｅは、必要に応じて、さらに自動作成部２０２ｄにより自動作成されたＢＩＭパーツの情報、パーツ情報データベース２０６ａに記憶されているパーツ情報も含むＢＩＭ情報を生成し、生成されたＢＩＭ情報を端末装置１００へ送信する。
【０１１０】
［端末装置１００の構成］
また、図９において、端末装置１００は、シミュレーション条件と、ＢＩＭモデルに含まれる建築物に関する建物情報と、サーバ装置２００から送信されたＢＩＭパーツとに基づいて、ＢＩＭモデルが表す建築物内でＢＩＭパーツが表す昇降機が走行する際に発生する昇降路内の風圧変化、騒音、振動に関するシミュレーションを実行する機能を有する。そして、端末装置１００は、サーバ装置２００から送信されたＢＩＭパーツを、ＢＩＭモデルに組み込んだ状態で、実行された風圧シミュレーション、騒音シミュレーション、振動シミュレーションの結果を表示部１１４に表示させる機能を有する。
【０１１１】
端末装置１００は、通信制御インターフェース部１０４を介してネットワーク３００を経由し、サーバ装置２００と相互に通信可能に接続されており、制御部１０２と記憶部１０６とを備える。また、端末装置１００は、表示部１１４と音声出力部１１６とを少なくとも含む出力部を備えていてもよい。また、端末装置１００は、データ入力等を行う入力部１１８を備えていてもよい。端末装置１００の入出力制御インターフェース部１０８は、表示部１１４、音声出力部１１６、及び、入力部１１８等の制御を行う。
【０１１２】
図９において、端末装置１００の記憶部１０６は、ＢＩＭモデルデータベース１０６ａと、計算式ファイル１０６ｂとを備える。端末装置１００の記憶部１０６の各構成要素のうち、ＢＩＭモデルデータベース１０６ａは、建築物のＢＩＭモデルを記憶するＢＩＭモデル記憶手段である。
【０１１３】
また、計算式ファイル１０６ｂは、昇降機に関するシミュレーションを実行する際に使用する各種所定の計算式を記憶する計算式記憶手段である。
【０１１４】
図９において、端末装置１００の制御部１０２は、機能概念的に、作成条件送信部１０２ａ、情報取得部１０２ｂ、画面生成部１０２ｃ、画面表示部１０２ｄ、及び、解析部１０２ｅを備える。
【０１１５】
このうち、作成条件送信部１０２ａは、入力された作成条件をサーバ装置２００へ送信する作成条件送信手段である。ここでは、作成条件は、後述の解析部１０２ｅにより実行された風圧シミュレーション、騒音シミュレーション、振動シミュレーションの結果の情報を含んでいてもよい。また、本実施形態では、各種シミュレーションを端末装置１００側で実行するので、作成条件は、各種シミュレーションに用いるシミュレーション条件等を含んでいなくてもよい。
【０１１６】
情報取得部１０２ｂは、情報提供部２０２ｅによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報を含むＢＩＭ情報を取得する。また、情報取得部１０２ｂは、例えば、必要に応じて、自動作成部２０２ｄにより自動作成されたＢＩＭパーツの情報、パーツ情報データベース２０６ａに記憶されているパーツ情報等を含むＢＩＭ情報を取得する。
【０１１７】
ここで、先に解析部１０２ｅについて説明する。
【０１１８】
本実施形態の解析部１０２ｅは、情報提供部２０２ｅによりサーバ装置２００から送信され情報取得部１０２ｂにより受信、取得されたＢＩＭ情報に基づいて、計算式ファイル１０６ｂに記憶された各種所定の計算式を用いて昇降機に関する各種シミュレーションを実行する解析手段である。解析部１０２ｅは、利用者によって入力部１１８等を介して入力される昇降機に関するシミュレーション条件と、ＢＩＭモデルデータベース１０６ａに記憶された建築物のＢＩＭモデルに含まれる建築物に関する建物情報と、情報提供部２０２ｅによりサーバ装置２００から送信されたによりＢＩＭパーツとに基づいて、風圧変化、騒音、振動に関するシミュレーションを実行する。
【０１１９】
画面生成部１０２ｃは、情報提供部２０２ｅによりサーバ装置２００から送信されたＢＩＭパーツ（ＢＩＭ情報）と、解析部１０２ｅにより実行された風圧シミュレーション、騒音シミュレーション、振動シミュレーションの結果とに基づいて、表示部１１４に表示させるためのレイアウト画面を生成する画面生成手段である。本実施形態の画面生成部１０２ｃは、上記ＢＩＭパーツと、上記風圧シミュレーション、騒音シミュレーション、振動シミュレーションの結果とを含むレイアウト画面を生成する。
【０１２０】
画面生成部１０２ｃは、例えば、昇降機モデリング部２０２ｂ、あるいは、自動作成部２０２ｄにより作成されサーバ装置２００から送信された昇降機のＢＩＭパーツが表す昇降機を、ＢＩＭモデルデータベース１０６ａに記憶された建築物のＢＩＭモデルが表す建築物に組み込んだ統合ＢＩＭモデルを作成する統合モデリング手段としても機能する。そして、画面生成部１０２ｃは、作成した統合ＢＩＭモデルを含むレイアウト画面を生成する。本実施形態の画面生成部１０２ｃは、作成した統合ＢＩＭモデルと共に、例えば、図５に示すような解析部１０２ｅにより実行された風圧シミュレーション、騒音シミュレーション、振動シミュレーションの結果を含むレイアウト画面を生成する。
【０１２１】
画面表示部１０２ｄは、情報提供部２０２ｅによりサーバ装置２００から送信されたＢＩＭパーツ（ＢＩＭ情報）と、解析部１０２ｅにより実行された風圧シミュレーション、騒音シミュレーション、振動シミュレーションの結果とに基づいて、表示部１１４にレイアウト画面を表示させる画面表示手段である。本実施形態の画面表示部１０２ｄは、ＢＩＭ情報に含まれるＢＩＭパーツと、解析部１０２ｅにより実行された風圧シミュレーション、騒音シミュレーション、振動シミュレーションの結果とを含むレイアウト画面を表示部１１４に表示させる。
【０１２２】
ここでは、画面表示部１０２ｄは、画面生成部１０２ｃにより生成されたレイアウト画面を表示部１１４に表示させる。本実施形態の画面表示部１０２ｄは、上記３次元の統合ＢＩＭモデルと共に、例えば、図５に示すような解析部１０２ｅにより実行された風圧シミュレーション、騒音シミュレーション、振動シミュレーションの結果を含むレイアウト画面を表示部１１４に表示させる。つまり、画面表示部１０２ｄは、情報提供部２０２ｅによりサーバ装置２００から送信されたＢＩＭパーツが表す昇降機を、ＢＩＭモデルが表す建築物に組み込んだ状態で、解析部１０２ｅにより実行された風圧シミュレーション、騒音シミュレーション、振動シミュレーションの結果を表示部１１４に表示させる。
【０１２３】
以上で、第２の実施形態におけるＢＩＭシステム２０の構成の一例の説明を終える。
【０１２４】
［ＢＩＭシステム２０の処理］
次に、このように構成された第２の実施形態におけるＢＩＭシステム２０の処理の一例について、以下に図１０を参照して詳細に説明する。図１０は、第２の実施形態におけるＢＩＭシステム２０の基本処理の一例を示すフローチャートである。
【０１２５】
図１０に示すように、端末装置１００の作成条件送信部１０２ａは、サーバ装置２００にアクセス可能かを判定した後、可能であれば作成条件をサーバ装置２００へ送信する（ステップＳＢ−１）。
【０１２６】
そして、サーバ装置２００の作成条件受信部２０２ａは、ステップＳＢ−１にて作成条件送信部１０２ａの処理により送信される作成条件を受信する（ステップＳＢ−２）。
【０１２７】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。
【０１２８】
そして、サーバ装置２００の情報提供部２０２ｅは、ステップＳＢ−３にて昇降機モデリング部２０２ｂの処理により作成された昇降機のＢＩＭパーツの情報を含むＢＩＭ情報を生成する（ステップＳＢ−４）。この場合、情報提供部２０２ｅは、必要に応じて、パーツ情報データベース２０６ａに記憶されているパーツ情報、後述するように自動作成部２０２ｄの処理により作成されたＢＩＭパーツの情報を含むＢＩＭ情報を生成してもよい。
【０１２９】
そして、サーバ装置２００の情報提供部２０２ｅは、ステップＳＢ−４での処理により生成したＢＩＭ情報を端末装置１００へ送信する（ステップＳＢ−５）。
【０１３０】
そして、端末装置１００の情報取得部１０２ｂは、ステップＳＢ−５にて情報提供部２０２ｅの処理により送信されたＢＩＭ情報を受信する（ステップＳＢ−６）。
【０１３１】
そして、端末装置１００の解析部１０２ｅは、入力される昇降機に関するシミュレーション条件と、ＢＩＭモデルデータベース１０６ａに記憶された建築物のＢＩＭモデルに含まれる建築物に関する建物情報と、ステップＳＢ−６にて情報取得部１０２ｂの処理により受信された昇降機のＢＩＭパーツとに基づいて、風圧シミュレーションを実行する（ステップＳＢ−７）。
【０１３２】
そして、端末装置１００の解析部１０２ｅは、入力される昇降機に関するシミュレーション条件と、ＢＩＭモデルデータベース１０６ａに記憶された建築物のＢＩＭモデルに含まれる建築物に関する建物情報と、ステップＳＢ−６にて情報取得部１０２ｂの処理により受信された昇降機のＢＩＭパーツとに基づいて、騒音・振動シミュレーションを実行する（ステップＳＢ−８）。
【０１３３】
そして、端末装置１００の画面生成部１０２ｃは、ステップＳＢ−６にて情報取得部１０２ｂの処理により受信されたＢＩＭパーツ（ＢＩＭ情報）と、ステップＳＢ−７、ステップＳＢ−８にて解析部１０２ｅの処理により実行された風圧シミュレーション、騒音シミュレーション、振動シミュレーションの結果とに基づいてレイアウト画面を生成する（ステップＳＢ−９）。
【０１３４】
そして、端末装置１００の画面表示部１０２ｄは、ステップＳＢ−９にて画面生成部１０２ｃの処理により生成されたレイアウト画面を表示部１１４に表示させ（ステップＳＢ−１０）、この処理を終了する。例えば、画面表示部１０２ｄは、上述した図５に例示するようなレイアウト画面を表示部１１４に表示させる。
【０１３５】
なお、以上の説明では、本実施形態のＢＩＭシステム２０は、解析部１０２ｅにより実行され送信された風圧変化、騒音、振動に関する各種シミュレーションの結果が基準を満たさない場合（風圧、騒音、振動等が許容値を超えている場合）には当該シミュレーションの結果を端末装置１００からサーバ装置２００に送信してもよい。そして、ＢＩＭシステム２０は、例えば、図７、図８で説明した処理と同様に、サーバ装置２００の自動作成部２０２ｄの処理により当該シミュレーションの結果を反映させたＢＩＭパーツを、パーツ情報データベース２０６ａに記憶されたパーツ情報を用いて自動で作成してもよい。この場合、情報提供部２０２ｅは、上述したように、必要に応じて自動作成部２０２ｄの処理により作成されたＢＩＭパーツの情報を含むＢＩＭ情報を生成してもよい。
【０１３６】
以上で、第２の実施形態におけるＢＩＭシステム２０の処理の一例の説明を終える。
【０１３７】
［第３の実施形態］
図１１は、第３の実施形態におけるＢＩＭ装置の構成の一例を示すブロック図、図１２は、第３の実施形態における基本処理の一例を示すフローチャートである。第３の実施形態に係るＢＩＭシステムは、機能がＢＩＭ装置に集約されている点で第１、２の実施形態とは異なる。その他、上述した実施形態と共通する構成、作用、効果については、重複した説明はできるだけ省略する。また、図１１は、第３の実施形態におけるＢＩＭ装置４００の構成のうち主として本実施形態に関係する部分を概念的に示している。ここで、第３の実施形態におけるＢＩＭシステムは、スタンドアロン型に構成され単独で処理を行うＢＩＭ装置４００により実現される。
【０１３８】
なお、第３の実施形態のＢＩＭシステムにおいては、機能をＢＩＭ装置４００に集約し、ＢＩＭ装置４００は、入力される作成条件に対応するＢＩＭパーツを、記憶部４０６に記憶されたパーツ情報を用いて作成する機能を有する。そして、ＢＩＭ装置４００は、利用者によって入力部４１８等を介して入力されるシミュレーション条件と、ＢＩＭモデルに含まれる建築物に関する建物情報と、作成されたＢＩＭパーツとに基づいて、ＢＩＭモデルが表す建築物内でＢＩＭパーツが表す昇降機が走行する際に発生する昇降路内の風圧変化、騒音、振動に関するシミュレーションを実行する機能を有する。そして、ＢＩＭ装置４００は、作成されたＢＩＭパーツを、ＢＩＭモデルに組み込んだ状態で、実行された風圧シミュレーション、騒音シミュレーション、振動シミュレーションの結果を表示部４１４に表示させる等の機能を有する。このように、第３の実施形態は、ＢＩＭ装置４００がスタンドアロン型に構成され単独で処理を行う点がその他の実施形態と異なる。
【０１３９】
［ＢＩＭ装置４００の構成］
まず、第３の実施形態におけるＢＩＭ装置４００（スタンドアロン型）の構成の一例について、図１１を参照して以下に説明する。
【０１４０】
図１１に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１４１】
図１１において、入出力制御インターフェース部４０８、表示部４１４、音声出力部４１６、及び、入力部４１８の各機能は、第１の実施形態と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、及び、計算式記憶手段としての計算式ファイル４０６ｃ等）についても、端末装置１００やサーバ装置２００ではなくＢＩＭ装置４００に備えられている点を除き、各機能が第１の実施形態と実質的に同様であるためできるだけ説明を省略する。
【０１４２】
このうち、パーツ情報データベース４０６ａは、建築物のＢＩＭモデルに組込可能な昇降機のＢＩＭパーツを作成するためのパーツ情報を記憶するパーツ情報記憶手段である。
【０１４３】
ＢＩＭモデルデータベース４０６ｂは、建築物のＢＩＭモデルを記憶するＢＩＭモデル記憶手段である。
【０１４４】
計算式ファイル４０６ｃは、昇降機に関するシミュレーションを実行する際に使用する各種所定の計算式を記憶する計算式記憶手段である。
【０１４５】
また、制御部４０２の各部については、本実施形態のＢＩＭ装置４００がスタンドアロン型であり、制御部４０２が各送信部を備えていない点を除き、各機能は第１の実施形態と基本的に同様である。
【０１４６】
図１１において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、作成条件設定手段としての作成条件設定部４０２ａ、昇降機モデリング手段としての昇降機モデリング部４０２ｂ、解析手段としての解析部４０２ｃを備える。さらに、制御部４０２は、機能概念的に、自動作成手段としての自動作成部４０２ｄ、画面生成手段としての画面生成部４０２ｅ、画面表示手段としての画面表示部４０２ｆ、を備える。
【０１４７】
このうち、作成条件設定部４０２ａは、入力する作成条件を設定する作成条件設定手段である。ここでは、作成条件は、利用者により入力部４１８を介して入力されたものを含んでいてもよいし、予め作成条件が記憶された外部記憶装置（図示せず）から読み込まれて入力されたものを含んでいてもよい。さらに、作成条件は、作成条件設定部４０２ａがＢＩＭモデルデータベース４０６ｂに格納されている建築物のＢＩＭモデル等から自動で抽出し入力されたものを含んでいてもよい。また、本実施形態では、各種シミュレーションをＢＩＭ装置４００自体で実行するので、作成条件は、各種シミュレーションに用いるシミュレーション条件等を含んでいなくてもよい。
【０１４８】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。
【０１４９】
また、解析部４０２ｃは、利用者によって入力部４１８等を介して入力されるシミュレーション条件と、ＢＩＭモデルに含まれる建築物に関する建物情報と、昇降機モデリング部４０２ｂにより作成されたＢＩＭパーツとに基づいて、計算式ファイル４０６ｃに記憶された各種所定の計算式を用いて昇降機に関する各種シミュレーションを実行する解析手段である。解析部１０２ｅは、入力されるシミュレーション条件と、ＢＩＭモデルデータベース４０６ｂに記憶された建築物のＢＩＭモデルに含まれる建築物に関する建物情報と、昇降機モデリング部４０２ｂにより作成されたＢＩＭパーツとに基づいて、風圧変化、騒音、振動に関するシミュレーションを実行する。
【０１５０】
自動作成部４０２ｄは、解析部４０２ｃにより実行され送信された風圧変化、騒音、振動に関する各種シミュレーションの結果に基づいて、シミュレーションの結果を反映させたＢＩＭパーツを、パーツ情報データベース４０６ａに記憶されたパーツ情報を用いて自動で作成する自動作成手段である。例えば、自動作成部４０２ｄは、解析部４０２ｃにより実行され送信された風圧シミュレーションの結果に基づいて、ＢＩＭパーツが表す昇降機の走行時に発生する昇降路内の風圧が予め設定された風圧許容値を超えた場合、当該風圧シミュレーションの結果を反映させたＢＩＭパーツを自動で作成するようにしてもよい。この場合、自動作成部４０２ｄは、風圧シミュレーションで算出された昇降路内の風圧が当該風圧許容値以下となるＢＩＭパーツを、パーツ情報データベース４０６ａに記憶されたパーツ情報を用いて作成する。自動作成部４０２ｄは、騒音シミュレーション、振動シミュレーションの結果に基づいて、同様の自動作成を行ってもよい。
【０１５１】
画面生成部４０２ｅは、昇降機モデリング部４０２ｂ、あるいは、自動作成部４０２ｄにより作成されたＢＩＭパーツと、解析部４０２ｃにより実行された風圧シミュレーション、騒音シミュレーション、振動シミュレーションの結果とに基づいて、表示部４１４に表示させるためのレイアウト画面を生成する画面生成手段である。本実施形態の画面生成部４０２ｅは、上記ＢＩＭパーツと、上記風圧シミュレーション、騒音シミュレーション、振動シミュレーションの結果とを含むレイアウト画面を生成する。
【０１５２】
画面生成部４０２ｅは、例えば、昇降機モデリング部４０２ｂ、あるいは、自動作成部４０２ｄにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段としても機能する。そして、画面生成部４０２ｅは、作成した統合ＢＩＭモデルを含むレイアウト画面を生成する。本実施形態の画面生成部４０２ｅは、作成した統合ＢＩＭモデルと共に、例えば、図５に示すような解析部４０２ｃにより実行された風圧シミュレーション、騒音シミュレーション、振動シミュレーションの結果を含むレイアウト画面を生成する。
【０１５３】
画面表示部４０２ｆは、昇降機モデリング部４０２ｂにより作成されたＢＩＭパーツと、解析部４０２ｃにより実行された風圧シミュレーション、騒音シミュレーション、振動シミュレーションの結果とに基づいて、表示部４１４にレイアウト画面を表示させる画面表示手段である。本実施形態の画面表示部４０２ｆは、例えば、昇降機モデリング部４０２ｂ、あるいは、自動作成部４０２ｄにより作成された昇降機のＢＩＭパーツと、解析部４０２ｃにより実行された風圧シミュレーション、騒音シミュレーション、振動シミュレーションの結果とを含むレイアウト画面を表示部４１４に表示させる。
【０１５４】
ここでは、画面表示部４０２ｆは、画面生成部４０２ｅにより生成されたレイアウト画面を表示部４１４に表示させる。本実施形態の画面表示部４０２ｆは、上記３次元の統合ＢＩＭモデルと共に、例えば、図５に示すような解析部４０２ｃにより実行された風圧シミュレーション、騒音シミュレーション、振動シミュレーションの結果を含むレイアウト画面を表示部４１４に表示させる。つまり、画面表示部４０２ｆは、昇降機モデリング部４０２ｂ、あるいは、自動作成部４０２ｄにより作成された昇降機のＢＩＭパーツを、ＢＩＭモデルに組み込んだ状態で、解析部４０２ｃにより実行された風圧シミュレーション、騒音シミュレーション、振動シミュレーションの結果を表示部４１４に表示させる。
【０１５５】
以上で、第３の実施形態におけるＢＩＭ装置４００の構成の一例の説明を終える。
【０１５６】
［ＢＩＭ装置４００の処理］
次に、このように構成された第３の実施形態におけるＢＩＭ装置４００の処理の一例について、以下に図１２を参照して詳細に説明する。図１２は、第３の実施形態におけるＢＩＭ装置４００の基本処理の一例を示すフローチャートである。
【０１５７】
図１２に示すように、まず、作成条件設定部４０２ａは、入力する作成条件を設定する（ステップＳＣ−１）。
【０１５８】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。
【０１５９】
そして、解析部４０２ｃは、入力される昇降機に関するシミュレーション条件と、ＢＩＭモデルデータベース４０６ｂに記憶された建築物のＢＩＭモデルに含まれる建築物に関する建物情報と、ステップＳＣ−２にて昇降機モデリング部４０２ｂの処理により作成された昇降機のＢＩＭパーツとに基づいて、風圧シミュレーションを実行する（ステップＳＣ−３）。
【０１６０】
そして、解析部４０２ｃは、入力される昇降機に関するシミュレーション条件と、ＢＩＭモデルデータベース４０６ｂに記憶された建築物のＢＩＭモデルに含まれる建築物に関する建物情報と、ステップＳＣ−２にて昇降機モデリング部４０２ｂの処理により作成された昇降機のＢＩＭパーツとに基づいて、騒音・振動シミュレーションを実行する（ステップＳＣ−４）。
【０１６１】
そして、解析部４０２ｃは、ステップＳＣ−３、ステップＳＣ−４にて解析部４０２ｃの処理により実行された風圧シミュレーション、騒音シミュレーション、振動シミュレーションの結果が基準を満たすか否かを判定する（ステップＳＣ−５）。解析部４０２ｃは、例えば、風圧シミュレーションの結果に基づいた風圧が風圧許容値以下であり、騒音シミュレーションの結果に基づいた騒音が騒音許容値以下であり、かつ、振動シミュレーションの結果に基づいた振動が振動許容値以下である場合に、風圧シミュレーション、騒音シミュレーション、振動シミュレーションの結果が基準を満たすと判定する。一方、解析部４０２ｃは、例えば、風圧シミュレーションの結果に基づいた風圧が風圧許容値を超えた場合、騒音シミュレーションの結果に基づいた騒音が騒音許容値を超えた場合、あるいは、振動シミュレーションの結果に基づいた振動が振動許容値を超えた場合に、風圧シミュレーション、騒音シミュレーション、振動シミュレーションの結果が基準を満たさないと判定する。
【０１６２】
画面生成部４０２ｅは、ステップＳＣ−５にて解析部４０２ｃの処理により風圧シミュレーション、騒音シミュレーション、振動シミュレーションの結果が基準を満たすと判定された場合（ステップＳＣ−５：Ｙｅｓ）、下記の処理を行う。すなわち、画面生成部４０２ｅは、ステップＳＣ−２にて昇降機モデリング部４０２ｂの処理により作成された昇降機のＢＩＭパーツと、ステップＳＣ−３、ステップＳＣ−４にて解析部４０２ｃの処理により実行された風圧シミュレーション、騒音シミュレーション、振動シミュレーションの結果とに基づいてレイアウト画面を生成する（ステップＳＣ−６）。
【０１６３】
そして、画面表示部４０２ｆは、ステップＳＣ−６にて画面生成部４０２ｅの処理により生成されたレイアウト画面を表示部４１４に表示させ（ステップＳＣ−７）、この処理を終了する。例えば、画面表示部４０２ｆは、上述した図５に例示するようなレイアウト画面を表示部４１４に表示させる。
【０１６４】
自動作成部４０２ｄは、ステップＳＣ−５にて解析部４０２ｃの処理により風圧シミュレーション、騒音シミュレーション、振動シミュレーションの結果が基準を満たさないと判定された場合（ステップＳＣ−５：Ｎｏ）、下記の処理を行う。すなわち、自動作成部４０２ｄは、ステップＳＣ−３、ステップＳＣ−４にて解析部４０２ｃの処理により実行された風圧シミュレーション、騒音シミュレーション、振動シミュレーションの結果が基準を満たすようなＢＩＭパーツを、パーツ情報データベース４０６ａに記憶されたパーツ情報を用いて自動で作成する（ステップＳＣ−８）。自動作成部４０２ｄは、例えば、ステップＳＣ−３、ステップＳＣ−４にて解析部４０２ｃの処理により実行された風圧シミュレーション、騒音シミュレーション、振動シミュレーションの結果に基づいた風圧、騒音、振動がそれぞれ風圧許容値、騒音許容値、振動許容値以下となるＢＩＭパーツを自動で作成する。
【０１６５】
そして、画像表示部４０２ｆは、ステップＳＣ−８にて自動作成部４０２ｄの処理により作成された昇降機のＢＩＭパーツの各種パラメータの情報を代案・対策案とし、当該代案・対策案を表示部４１４に表示させ、変更の可否を確認する（ステップＳＣ−９）。
【０１６６】
そして、制御部４０２は、利用者によって入力部４１８等を介して入力される変更可否に関する情報に基づいて、利用者により変更を許可する旨の意思が示されたか否かを判定する（ステップＳＣ−１０）。
【０１６７】
そして、制御部４０２は、ステップＳＣ−１０にて制御部４０２の処理により変更を許可する旨の意思が示されていないと判定された場合（ステップＳＣ−１０：Ｎｏ）、処理をステップＳＣ−６に移行させる。そして、画面生成部４０２ｅは、ステップＳＣ−２にて昇降機モデリング部４０２ｂの処理により作成された昇降機のＢＩＭパーツと、ステップＳＣ−５にて解析部４０２ｃの処理により基準を満たさないと判定された風圧シミュレーション、騒音シミュレーション、振動シミュレーションの結果とをそのまま用いてレイアウト画面を生成する（ステップＳＣ−６）。
【０１６８】
解析部４０２ｃは、ステップＳＣ−１０にて制御部４０２の処理により変更を許可する旨の意思が示されたと判定された場合（ステップＳＣ−１０：Ｙｅｓ）、ステップＳＣ−８にて自動作成部４０２ｄの処理により作成された昇降機のＢＩＭパーツの各種パラメータに基づいて、代案・対策案の風圧シミュレーション、騒音シミュレーション、振動シミュレーションで必要とされるパラメータの指定を行う（ステップＳＣ−１１）。そして、制御部４０２は、処理をステップＳＣ−３に移行させる。
【０１６９】
この場合、解析部４０２ｃは、ステップＳＣ−１１にて解析部４０２ｃの処理により指定された代案・対策案のシミュレーションで必要とされるパラメータに基づいて、風圧シミュレーション（ステップＳＣ−３）、騒音・振動シミュレーション（ステップＳＣ−４）を実行する。この場合、ステップＳＣ−６では、画面生成部４０２ｅは、ステップＳＣ−２にて昇降機モデリング部４０２ｂの処理により作成された昇降機のＢＩＭパーツと、ステップＳＣ−３、ステップＳＣ−４にて解析部４０２ｃの処理により再度実行された代案・対策案の風圧シミュレーション、騒音シミュレーション、振動シミュレーションの結果とに基づいてレイアウト画面を生成する（ステップＳＣ−６）。なおこの場合、画面生成部４０２ｅは、ステップＳＣ−５にて解析部４０２ｃの処理により基準を満たさないと判定された風圧シミュレーション、騒音シミュレーション、振動シミュレーションの結果もＮＧ結果としてレイアウト画面に含ませてもよい。
【０１７０】
以上で、第３の実施形態におけるＢＩＭ装置４００の処理の一例の説明を終える。
【０１７１】
このように、上述した第１〜第３の実施形態によれば、利用者により入力される作成条件に対応する昇降機のＢＩＭパーツを、パーツ情報を用いて作成する。そして、第１〜第３の実施形態によれば、例えば、作成されたＢＩＭパーツを建築物のＢＩＭモデルに組み込んだ統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１７２】
［他の実施の形態］
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１７３】
例えば、上述の実施形態は、昇降機としてエレベータを例にあげて説明したが、エスカレータ、動く歩道等の乗客コンベアについても同様に適用できる。
【０１７４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１７５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１７６】
また、端末装置１００、サーバ装置２００、及び、ＢＩＭ装置４００に関して、図示の各構成要素は機能概念的なものであり、必ずしも物理的に図示の如く構成されていることを要しない。
【０１７７】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７８】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１７９】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１８０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１８１】
記憶部１０６、記憶部２０６、及び、記憶部４０６に格納される各種のデータベース等（ＢＩＭモデルデータベース１０６ａ、計算式ファイル１０６ｂ、パーツ情報データベース２０６ａ、計算式ファイル２０６ｂ、パーツ情報データベース４０６ａ、ＢＩＭモデルデータベース４０６ｂ、及び、計算式ファイル４０６ｃ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１８２】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１８３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１８４】
以上で説明した実施形態、変形例に係るＢＩＭシステム、サーバ装置、端末装置、方法及びプログラムによれば、昇降機の設備計画を提案する際、提案する昇降機を視覚的に分かりやすく表示することができる。
【符号の説明】
【０１８５】
１０、２０    ＢＩＭシステム
１００  端末装置
１０２  制御部
１０２ａ  作成条件送信部
１０２ｂ  情報取得部
１０２ｃ  画面生成部
１０２ｄ  画面表示部
１０２ｅ  解析部
１０４  通信制御インターフェース部
１０６  記憶部
１０６ａ  ＢＩＭモデルデータベース
１０６ｂ  計算式ファイル
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  解析部
２０２ｄ  自動作成部
２０２ｅ  情報提供部
２０４  通信制御インターフェース部
２０６  記憶部
２０６ａ  パーツ情報データベース
２０６ｂ  計算式ファイル
３００  ネットワーク
４００  ＢＩＭ装置（ＢＩＭシステム）
４０２  制御部
４０２ａ  作成条件設定部
４０２ｂ  昇降機モデリング部
４０２ｃ  解析部
４０２ｄ  自動作成部
４０２ｅ  画面生成部
４０２ｆ  画面表示部
４０６  記憶部
４０６ａ  パーツ情報データベース
４０６ｂ  ＢＩＭモデルデータベース
４０６ｃ  計算式ファイル
４０８  入出力制御インターフェース部
４１４  表示部
４１６  音声出力部
４１８  入力部
【図１】
0005591878.tif 000002
【図２】
0005591878.tif 000003
【図３】
0005591878.tif 000004
【図４】
0005591878.tif 000005
【図６】
0005591878.tif 000006
【図７】
0005591878.tif 000007
【図８】
0005591878.tif 000008
【図９】
0005591878.tif 000009
【図１０】
0005591878.tif 000010
【図１１】
0005591878.tif 000011
【図１２】
0005591878.tif 000012
【図５】
0005591878.tif 000013